(57)【要約】【課題】所定部の破損等を抑制することができる遊技機を提供すること。【解決手段】可動体３０２は、可動体３０２の内部に少なくとも一部が収納される第１状態と可動体３０２の回動面における所定領域３２５から少なくとも一部が突出する第２状態とに変化可能な突出体３７０を有し、第１回動状態と、第１回動状態とは所定領域３２５が異なる方向を向く第２回動状態とに変化可能に回動し、突出体３７０は、可動体３０２が第１回動状態から第２回動状態へ変化するまで回動した後に第１状態から第２状態へ変化し、第２回動状態において、突出体３７０が第２状態へ変化したときに突出体３７０が所定部３８０と反対側に傾倒するように保持される。【選択図】図２０
2018000417.tif 000002
【特許請求の範囲】
【請求項１】
遊技が可能な遊技機であって、
回動可能な可動体と、
前記可動体の近傍に設けられる所定部と、
を備え、
前記可動体は、
該可動体の内部に少なくとも一部が収納される第１状態と該可動体の回動面における所定領域から少なくとも一部が突出する第２状態とに変化可能な突出体を有し、
第１回動状態と、該第１回動状態とは前記所定領域が異なる方向を向く第２回動状態とに変化可能に回動し、
前記突出体は、前記可動体が前記第１回動状態から前記第２回動状態へ変化するまで回動した後に前記第１状態から前記第２状態へ変化し、
前記第２回動状態において、前記突出体が前記第２状態へ変化したときに該突出体が前記所定部と反対側に傾倒するように保持される
ことを特徴とする遊技機。
【発明の詳細な説明】
【技術分野】
【０００１】
本発明は、遊技が可能な遊技機に関する。
【背景技術】
【０００２】
パチンコ遊技機やスロットマシン等の遊技機では、例えば、左右方向に延びる軸を中心に回動可能に設けられた可動体を回動させた後、該可動体内から突出体を突出させることにより演出の向上を図るものが提案されている。
【０００３】
この種の可動体を備えたパチンコ遊技機として、例えば、可動体の回動面における突出体が突出する所定領域（例えば、突出体が突出する面）が遊技者から視認困難となる第１回動状態から該第１回動状態とは異なる方向を向く（例えば、視認可能となる）第２回動状態に回動したときに、突出体を可動体内から突出動作させるもの等があった（例えば、特許文献１参照）。
【先行技術文献】
【特許文献】
【０００４】
【特許文献１】特開２０１６−３６３７３号公報
【発明の概要】
【発明が解決しようとする課題】
【０００５】
上記特許文献１に記載の遊技機では、可動体を回動させる機構や突出体を突出させる機構を有しているため、可動体の重量が重く、また突出体を突出させた際に可動体の重心が回動中心から偏心することとなるため、突出体を突出させた状態にあっては、可動体が不安定になり、自重で回転してしまう虞があり、例えば、遊技者から見て可動体の奥側に設けられる液晶表示装置や装飾体等の所定部（構造物）に対して突出体が衝突して、突出体や所定部が破損してしまうという問題があった。
【０００６】
本発明は、このような問題点に着目してなされたもので、所定部の破損等を抑制することができる遊技機を提供することを目的とする。
【課題を解決するための手段】
【０００７】
前記課題を解決するために、本発明の手段１の遊技機は、
遊技が可能な遊技機（例えば、パチンコ遊技機１）であって、
回動可能な可動体（例えば、第１可動体３０２）と、
前記可動体の近傍に設けられる所定部（例えば、装飾体３８０）と、
を備え、
前記可動体は、
該可動体の内部に少なくとも一部が収納される第１状態と該可動体の回動面における所定領域から少なくとも一部が突出する第２状態とに変化可能な突出体を有し（例えば、突出体３７０は、箱状部３０２Ａ内に収納される第１状態（図４（Ａ）及び図１７参照）と、箱状部３０２Ａの開口部（第４回動面３２５側）から突出する第２状態（図４（Ａ）及び図１７参照）と、に変化可能である。）、
第１回動状態と、該第１回動状態とは前記所定領域が異なる方向を向く第２回動状態とに変化可能に回動し（例えば、第１回動状態は、第１可動体３０２の回動状態における初期状態であり、第２回動状態は、第１可動体３０２の回動状態における展開状態である。図４参照。）、
前記突出体は、前記可動体が前記第１回動状態から前記第２回動状態へ変化するまで回動した後に前記第１状態から前記第２状態へ変化し（例えば、突出体３７０は、第１可動体３０２が第１回動状態から第２回動状態へ変化するまで回動した後に、該第２回動状態において第１可動体３０２から突出する。図２９参照。）、
前記第２回動状態において、前記突出体が前記第２状態へ変化したときに該突出体が前記所定部と反対側に傾倒するように保持される（例えば、遊技者から見て第１可動体３０２の奥側に設けられる装飾体３８０とは反対側（前方側）に突出体３７０が略２度傾斜するように第１可動体３０２を傾斜させる。図２０参照。）
ことを特徴としている。
この特徴によれば、可動体は第２回動状態において所定部と反対側に傾倒するように保持されることで、突出体が第１状態から第２状態へ突出した際に該突出体の先端側が可動体の回動方向に揺れ動くことがあっても所定部に接触しにくいため、突出体や所定部の破損等を抑制することができる。
【０００８】
本発明の手段２の遊技機は、手段１に記載の遊技機であって、
前記可動体は、前記回動面における前記所定領域（例えば、第４回動面３２５）に内部を開閉可能な蓋部材（例えば、蓋部材３１９）を有し、
前記突出体は、前記蓋部材が閉鎖位置から開放位置へ回動することで前記第２状態へ変化可能となる（例えば、突出体３７０は、蓋部材３１９が閉鎖位置から開放位置へ回動することで第２状態へ変化可能（突出体３７０が突出動作可能）となっている。図２０及び図３１（Ａ）参照。）
ことを特徴としている。
この特徴によれば、可動体は第２回動状態において所定部と反対側に傾倒するように保持されることで、突出体が第２状態へ変化する際に蓋部材が所定部に接触することを回避できる。
【０００９】
本発明の手段３の遊技機は、手段１または２に記載の遊技機であって、
前記可動体は、
前記突出体を前記第１状態と前記第２状態とに変化させるためのパンタグラフ機構（例えば、パンタグラフ機構３７３）と、
前記パンタグラフ機構を構成する複数のうち一のリンク部材（例えば、第１リンク部材３４６）を突出方向に付勢する第１バネ部材（例えば、第１バネ部材３５７）及び他のリンク部材（例えば、第２リンク部材３４７）を突出方向に付勢する第２バネ部材（例えば、第２バネ部材３５８）と、
を有し、
前記第１バネ部材と前記第２バネ部材は、前記一のリンク部材及び前記他のリンク部材の一端を回動軸の両側から挟むように配置される（例えば、第１バネ部材３５７と第２バネ部材３５８は、第１リンク部材３４６及び第２リンク部材３４７の一端を軸部３８７ｃの両側から挟むように配置されている。図１３及び図１４参照。）
ことを特徴としている。
この特徴によれば、一のリンク部材及び他のリンク部材が第１バネ部材及び第２バネ部材によりそれぞれ突出方向に付勢されるので、突出体を突出させる際における駆動源の負荷を軽減できるとともに、一のリンク部材及び他のリンク部材の一端が第１バネ部材及び第２バネ部材により支持されることで、突出体を安定して突出させることができる。
【００１０】
本発明の手段４の遊技機は、手段２または３に記載の遊技機であって、
前記可動体は、
駆動源（例えば、突出用モータ３６０）と、
前記駆動源の駆動力を前記蓋部材と前記突出体とに伝達する伝達機構（例えば、第１ギヤ３９２〜第４ギヤ３９５、開閉機構３４８、回動アーム３８９及びパンタグラフ機構３７３）と、
を有し、
前記伝達機構は、前記蓋部材が開放した後に前記突出体が前記第１状態から前記第２状態へ変化するように駆動力を伝達する（例えば、第１ギヤ３９２〜第４ギヤ３９５、開閉機構３４８、回動アーム３８９及びパンタグラフ機構３７３は、蓋部材３１９が開放した後に突出体３７０が第１状態から第２状態へ変化するように突出用モータ３６０の駆動力を伝達するようになっている。図２１〜図２３参照。）
ことを特徴としている。
この特徴によれば、一の駆動源で蓋部材と突出体とをタイミングをずらして駆動できるため、突出体が第２状態へ変化するときに蓋部材に接触することを防止できる。
【００１１】
本発明の手段５の遊技機は、手段２〜４のいずれかに記載の遊技機であって、
前記突出体は、
駆動源（例えば、突出用モータ３６０）と、
前記駆動源の駆動力を前記蓋部材に伝達する伝達機構（例えば、開閉機構３４８）と、
を有し、
前記伝達機構の少なくとも一部は、前記可動体が前記第２回動状態であるときには遊技者から視認困難または視認不能である（例えば、開閉機構３４８は、第１可動体３０２を正面側から見てアーム３０９Ｌと突出壁部３２８の後方に配置されており、開閉機構３４８は、第２回動状態においてアーム３０９Ｌと突出壁部３２８により正面側から視認困難または視認不能となっている。図２１〜図２３参照。）
ことを特徴としている。
この特徴によれば、伝達機構の動作により蓋部材が開放することを遊技者が予測できてしまうことを回避できる。
【００１２】
本発明の手段６の遊技機は、手段１〜５のいずれかに記載の遊技機であって、
前記可動体は、
前記所定部に重畳する第１位置と前記所定部に重畳しない第２位置との間で移動可能であり（例えば、第１可動体３０２は、装飾体３８０に重畳する第１位置と装飾体３８０に重畳しない第２位置との間で移動可能である）、
回動するときの回動半径が第１寸法（例えば、第１寸法Ｌ１，Ｌ２）である第１部位（例えば、角頂部３６４及び角頂部３６５）と該第１寸法よりも長い第２寸法（例えば、第２寸法Ｌ３）である第２部位（例えば、第２回動状態において傾斜した蓋部材３１９の端部３１９ｂ／突出体３７０／第１可動体の外面から突出する装飾用の突起等）とを有し、
前記第１位置において前記第２部位が前記所定部側に突出する第３回動状態（例えば、傾斜した蓋部材３１９が装飾体３８０に接触する第３回動状態）と前記所定部に突出しない第４回動状態（例えば、傾斜した蓋部材３１９の端部３１９ｂが装飾体３８０に接触しない第４回動状態）とに回動により変化可能であり、
前記可動体を前記第３回動状態で前記第２位置から前記第１位置へ移動させる際に、少なくとも前記第２部位が前記所定部に突出しないように前記第３回動状態から前記第４回動状態へ回動により変化させる（例えば、第１可動体３０２を第３回動状態で第２位置から第１位置へ移動させる際に、少なくとも傾斜した蓋部材３１９の端部３１９ｂが装飾体３８０に突出しないように第３回動状態から第４回動状態へ回動により変化させる。図２６参照。）
ことを特徴としている。
この特徴によれば、可動体を第２位置から第１位置へ移動させる際に第２部位が所定部に接触して可動体や所定部が破損することを抑制できる。
【００１３】
本発明の手段７の遊技機は、手段１〜６のいずれかに記載の遊技機であって、
前記可動体が前記第１回動状態において回動することを規制する規制手段（例えば、係止部材３１８ａ及び当接部３９１）を備える
ことを特徴としている。
この特徴によれば、可動体が振動等により回動してしまうことを抑制することができる。
【００１４】
本発明の手段８の遊技機は、手段１〜７のいずれかに記載の遊技機であって、
前記可動体に設けられる電子部品（例えば、回動用モータ３５０及び突出用モータ３６０／ＬＥＤ基板）と、
所定のベース部に設けられ前記電子部品の制御を行う駆動制御手段（例えば、ベース部側に設置された駆動制御手段（演出制御用ＣＰＵ１２０／電源を含む））と、
前記電子部品と前記駆動制御手段とを接続する可撓性を有する複数のケーブル（例えば、ケーブル３９６）と、
を備え、
前記複数のケーブルは、
前記電子部品との接続部から前記可動体の軸受部を介して前記ベース部へ配線され（例えば、回動用モータ３５０及び突出用モータ３６０との接続部から第１可動体３０２のアーム３０９Ｌ，３０９Ｒの軸受部を介して前記ベース部へ配線され）、
前記電子部品との接続部から所定長さ離れた保持位置において結束バンドにより束ねられており（例えば、回動用モータ３５０及び突出用モータ３６０との接続部から所定長さ離れた保持位置において結束バンド３９７により束ねられており）、
前記可動体には、前記結束バンドを所定位置に保持する保持手段（例えば、結束バンド３９７を所定位置に保持する爪部３８７ｄ。図２８参照。）が設けられている
ことを特徴としている。
この特徴によれば、複数のケーブルを配線する際に、電子部品との接続部から所定長さ離れた保持位置を結束バンドにて束ねて該結束バンドを保持手段により保持するだけで、ケーブルにおいて可動体の回動に応じて捻じれなどが生じやすい部位に好適な長さを確保することができる。
【００１５】
本発明の手段９の遊技機は、手段１〜８のいずれかに記載の遊技機であって、
前記可動体の重量部（例えば、駆動機構３７２及びパンタグラフ機構３７３）は、前記第１回動状態において回動中心よりも下方に位置し、前記第２回動状態において回動中心よりも前記所定部側に位置する（例えば、第１可動体３０２の重量部（駆動機構３７２及びパンタグラフ機構３７３）は、第１回動状態において回動中心よりも下方に位置し、第２回動状態において回動中心よりも装飾体３８０側に位置する。図１６及び図２０参照。）
ことを特徴としている。
この特徴によれば、可動体が第１回動状態にあるときは重量部が回動中心より下方に位置するので安定性が向上し、第２回動状態にあるときは回動中心よりも所定部側に位置するが突出体が所定部と反対側へ傾倒することによりバランスすることで、突出体の揺れ動きを抑制できる。
【００１６】
本発明の手段１０の遊技機は、手段６に記載の遊技機であって、
前記可動体を前記第１位置へ移動させる際に、前記第３回動状態から前記第４回動状態へ回動により変化させた後、前記第１位置において前記第３回動状態に復帰させる（例えば、第１可動体３０２が第１位置の近傍に到達すると、第１可動体３０２を所定角度後方側に回動させ、第１回動状態に復帰させる。図２７参照。）
ことを特徴としている。
この特徴によれば、少なくとも可動体を移動させているときに第２部位が所定部に接触して可動体や所定部が破損することを抑制できる。
【００１７】
本発明の手段１１の遊技機は、手段６または１０に記載の遊技機であって、
前記第２部位は可動部（例えば、蓋部材３１９が開閉動作するようになっている）であり、該可動部の動作に応じて回動半径が変化する（例えば、第１可動体３０２の回動による反動で蓋部材３１９が開放方向に動作した際に蓋部材３１９の端部３１９ｂが第２寸法Ｌ３となる第２部位となる（第３回動状態となる）。図２４参照。）
ことを特徴としている。
この特徴によれば、可動体の回動による反動で可動部が動作して回動半径が変化することがあっても、第２部位が所定部に接触することを好適に回避することができる。
【００１８】
本発明の手段１２の遊技機は、手段６、１０、１１のいずれかに記載の遊技機であって、
前記所定部は、前記可動体が前記第１位置にあるときに該可動体の周囲を装飾する（例えば、装飾体３８０は、第１可動体３０２が第１位置にあるときに第１可動体３０２の背面側の周囲を装飾する）
ことを特徴としている。
この特徴によれば、可動体が第１位置にあるときの演出効果が向上する。
【００１９】
本発明の手段１３の遊技機は、手段１１または１２に記載の遊技機であって、
前記可動部は、前記可動体が前記第３回動状態で前記第１位置に位置するとき、前記所定部に接触することで動作が規制される（例えば、第１位置において第３回動状態に復帰させた際に、その回動の反動で蓋部材３１９が開放方向に動作しても、蓋部材３１９の背面側に装飾体３８０が配置されているため、装飾体３８０に接触してそれ以上の蓋部材３１９の開放方向への動作を規制することができる。図２７参照。）
ことを特徴としている。
この特徴によれば、第１位置においては、所定部を利用して可動部の動作を規制することができる。
【００２０】
本発明の手段１４の遊技機は、手段１〜１３のいずれかに記載の遊技機であって、
前記可動体を駆動する駆動手段（例えば、昇降用モータ３０８Ｌ，３０８Ｒ）と、
初期位置（例えば、第１位置）にて前記可動体を検出する初期位置検出手段（例えば、上方位置検出スイッチ３１５Ｌ，３１５Ｒ）と、
前記遊技機への電力供給が開始されたことに基づき、前記初期位置検出手段の検出結果に基づいて前記駆動手段により前記可動体を前記初期位置まで動作させる初期動作処理を実行する初期動作処理実行手段（例えば、演出制御用ＣＰＵ１２０）と、
を備え、
前記初期動作処理実行手段は、前記初期動作処理において、前記可動体を移動させることが可能な速度のうち最低速度で前記初期位置へ移動させる（例えば、演出制御用ＣＰＵ１２０は、第１可動体３０２の移動速度のうち最も遅い速度に切り換えて第１位置へ移動させる）
ことを特徴としている。
この特徴によれば、可動体を安全に初期位置へ復帰させることができる。
【００２１】
尚、本発明は、本発明の請求項に記載された発明特定事項のみを有するものであっても良いし、本発明の請求項に記載された発明特定事項とともに該発明特定事項以外の構成を有するものであっても良い。
【図面の簡単な説明】
【００２２】
【図１】パチンコ遊技機を正面から見た正面図である。
【図２】遊技制御基板（主基板）の回路構成例を示すブロック図である。
【図３】第１可動体が第１位置にある演出ユニットを示す正面図である。
【図４】（Ａ）は第１可動体が第１位置にて第１回動状態にある第１可動体ユニットを示す正面図、（Ｂ）は第１可動体が第２位置にて第２回動状態にある第１可動体ユニットを示す正面図である。
【図５】（Ａ）は動作前の第２可動体ユニット及び第３可動体ユニットを示す正面図、（Ｂ）は動作後の第２可動体ユニット及び第３可動体ユニットを示す正面図である。
【図６】演出ユニットを正面側から見た分解斜視図である。
【図７】演出ユニットを背面側から見た分解斜視図である。
【図８】（Ａ）は第１可動体が第１位置にある第１可動体ユニットを示す説明図、（Ｂ）は同じく背面図である。
【図９】（Ａ）（Ｂ）は第１可動体の駆動機構を示す説明図である。
【図１０】第１可動体の構造を示す六面図である。
【図１１】第１可動体を正面側から見た分解斜視図である。
【図１２】第１可動体を背面側から見た分解斜視図である。
【図１３】第１可動体における突出体を正面側から見た分解斜視図である。
【図１４】第１可動体における突出体を背面側から見た分解斜視図である。
【図１５】（Ａ）は第１可動体の底面図、（Ｂ）は（Ａ）からギヤベース部材の構成を省略した図である。
【図１６】蓋部材の構造を省略した第１可動体の背面図である。
【図１７】第１可動体が第２位置にて第２回動状態となった状態を示す説明図である。
【図１８】Ｃ−Ｃ断面図である。
【図１９】図１７の状態から突出体が突出した第２状態となった状態を示す説明図である。
【図２０】Ｄ−Ｄ断面図である。
【図２１】（Ａ）は第２回動状態となった第１可動体を後方から見た状態を示す説明図、（Ｂ）は（Ａ）の第１可動体を右側方から見た状態を示す説明図、（Ｃ）は（Ａ）におけるギヤを後方から見た状態を示す説明図、（Ｄ）は（Ａ）におけるギヤを前方から見た状態を示す説明図、（Ｅ）は（Ａ）の第１可動体を前方からみた状態を示す説明図である。
【図２２】（Ａ）は蓋部材が開放した第１可動体を後方から見た状態を示す説明図、（Ｂ）は（Ａ）の第１可動体を右側方から見た状態を示す説明図、（Ｃ）は（Ａ）におけるギヤを後方から見た状態を示す説明図、（Ｄ）は（Ａ）におけるギヤを前方から見た状態を示す説明図、（Ｅ）は（Ａ）の第１可動体を前方からみた状態を示す説明図である。
【図２３】（Ａ）は突出体が突出した第１可動体を後方から見た状態を示す説明図、（Ｂ）は（Ａ）の第１可動体を右側方から見た状態を示す説明図、（Ｃ）は（Ａ）におけるギヤを後方から見た状態を示す説明図、（Ｄ）は（Ａ）におけるギヤを前方から見た状態を示す説明図、（Ｅ）は（Ａ）の第１可動体を前方からみた状態を示す説明図である。
【図２４】第１可動体における第１部位と第２部位を示す説明図である。
【図２５】第１可動体が第２回動状態から第１回動状態に変化した状態を示す説明図である。
【図２６】第１可動体の退避動作を示す説明図である。
【図２７】第１可動体が第１位置に移動した状態を示す説明図である。
【図２８】（Ａ）は、第２回動状態における第１可動体の配線状態を後方から見た概略図、（Ｂ）は第２回動状態における第１可動体の配線状態を上方から見た概略図、（Ｃ）は第１回動状態における第１可動体の配線状態を上方から見た概略図である。
【図２９】可動体演出における各種モータの動作の一例を示すタイミングチャートである。
【図３０】（Ａ）〜（Ｄ）は第１可動体が第１位置から第２位置に移動する流れを示す説明図である。
【図３１】（Ａ）〜（Ｄ）は突出体が第１状態〜第２状態、第２状態〜第１状態となる流れを示す説明図である。
【図３２】（Ａ）〜（Ｄ）は第１可動体が第２位置から第１位置に移動する流れを示す説明図である。
【発明を実施するための形態】
【００２３】
本発明に係る遊技機を実施するための形態を実施例に基づいて以下に説明する。
【実施例】
【００２４】
まず、遊技機の一例であるパチンコ遊技機１の全体の構成について説明する。図１は、パチンコ遊技機を正面から見た正面図である。図２は、主基板における回路構成の一例を示すブロック図である。尚、以下において、図１の手前側をパチンコ遊技機１の前方（前面、正面）側、奥側を背面（後方）側とし、パチンコ遊技機１を前面側から見たときの上下左右方向を基準として説明する。尚、本実施例におけるパチンコ遊技機１の前面とは、該パチンコ遊技機１にて遊技を行う遊技者と対向する対向面である。
【００２５】
図１は、本実施例におけるパチンコ遊技機の正面図であり、主要部材の配置レイアウトを示す。パチンコ遊技機（以下、遊技機と略記する場合がある）１は、大別して、遊技盤面を構成する遊技盤（ゲージ盤）２と、遊技盤２を支持固定する遊技機用枠（台枠）３とから構成されている。遊技盤２には、ガイドレール２ｂによって囲まれた正面視略円形状の遊技領域１０が形成されている。この遊技領域１０には、遊技媒体としての遊技球が打球発射装置（図示略）から発射されて打ち込まれる。また、遊技機用枠３には、ガラス窓５０ａを有するガラス扉枠５０が左側辺を中心として回動可能に設けられ、該ガラス扉枠５０により遊技領域１０を開閉できるようになっており、ガラス扉枠５０を閉鎖したときにガラス窓５０ａを通して遊技領域１０を透視できるようになっている。
【００２６】
図１に示すように、遊技盤２は、アクリル樹脂、ポリカーボネート樹脂、メタクリル樹脂等の透光性を有する合成樹脂材にて正面見略四角形状に形成され、前面である遊技盤面に障害釘（図示略）やガイドレール２ｂ等が設けられた盤面板（図示略）と、該盤面板の背面側に一体的に取付けられるスペーサ部材（図示略）と、から主に構成されている。尚、遊技盤２はベニヤ板にて構成されていてもよい。
【００２７】
遊技盤２の所定位置（図１に示す例では、遊技領域１０の右側下部位置）には、第１特別図柄表示器４Ａと、第２特別図柄表示器４Ｂとが設けられている。第１特別図柄表示器４Ａと第２特別図柄表示器４Ｂはそれぞれ、例えば７セグメントやドットマトリクスのＬＥＤ（発光ダイオード）等から構成され、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。以下では、第１特別図柄表示器４Ａにおいて変動表示される特別図柄を「第１特図」ともいい、第２特別図柄表示器４Ｂにおいて変動表示される特別図柄を「第２特図」ともいう。
【００２８】
遊技盤２における遊技領域１０の中央付近には、演出表示装置５が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリアにて、各々を識別可能な複数種類の識別情報（装飾識別情報）である演出図柄が変動表示される。この演出図柄の変動表示も、変動表示ゲームに含まれる。
【００２９】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄（最終停止図柄）を導出表示する。
【００３０】
演出表示装置５は、遊技盤２よりも背面側に配設され、該遊技盤２に形成された開口２ｃを通して視認できるようになっている。尚、遊技盤２における開口２ｃには枠状のセンター飾り枠５１が設けられている。遊技盤２の背面と演出表示装置５との間には、後述する演出ユニット３００が設けられている。
【００３１】
演出表示装置５の表示領域の下部の左右２箇所には、第１保留記憶表示エリア５Ｄ、第２保留記憶表示エリア５Ｕが設定されている。第１保留記憶表示エリア５Ｄ、第２保留記憶表示エリア５Ｕでは、特図ゲームに対応した変動表示の保留記憶数（特図保留記憶数）を特定可能に表示する保留記憶表示が行われる。
【００３２】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。
【００３３】
第１特別図柄表示器４Ａ及び第２特別図柄表示器４Ｂの右方位置には、特図保留記憶数を特定可能に表示するための第１保留表示器２５Ａと第２保留表示器２５Ｂとが設けられている。第１保留表示器２５Ａは、第１特図保留記憶数を特定可能に表示し、第２保留表示器２５Ｂは、第２特図保留記憶数を特定可能に表示する。
【００３４】
演出表示装置５の下方には、普通入賞球装置６Ａが設けられ、演出表示装置５の右側下方には、普通可変入賞球装置６Ｂが設けられている。普通入賞球装置６Ａは、例えば所定の球受部材によって常に一定の開放状態に保たれる始動領域（第１始動領域）としての第１始動入賞口を形成する。普通可変入賞球装置６Ｂは、図２に示す普通電動役物用となるソレノイド８１によって、遊技領域１０に突出する突出位置となる閉鎖状態と遊技領域１０から退避する退避位置となる開放状態とに変化する可動板を有する普通電動役物を備え、始動領域（第２始動領域）としての第２始動入賞口を形成する。
【００３５】
第１始動入賞口を通過（進入）した遊技球が第１始動口スイッチ２２Ａによって検出されたことに基づき、所定個数（例えば３個）の遊技球が賞球として払い出され、第１特図保留記憶数が所定の上限値（例えば「４」）以下であれば、第１始動条件が成立する。また、第２始動入賞口を通過（進入）した遊技球が第２始動口スイッチ２２Ｂによって検出されたことに基づき、所定個数（例えば３個）の遊技球が賞球として払い出され、第２特図保留記憶数が所定の上限値（例えば「４」）以下であれば、第２始動条件が成立する。
【００３６】
図１に示すように、普通入賞球装置６Ａの右方位置には、特別可変入賞球装置７が設けられている。特別可変入賞球装置７は、図２に示す大入賞口扉用となるソレノイド８２によって開閉駆動される大入賞口扉によって開放状態と閉鎖状態とに変化する特定領域としての大入賞口を形成する。このように、特定領域としての大入賞口は、遊技球が通過（進入）しやすく遊技者にとって有利な開放状態と、遊技球が通過（進入）できない（または通過（進入）しにくい）遊技者にとって不利な閉鎖状態とに変化する。
【００３７】
大入賞口を通過（進入）した遊技球が図２に示すカウントスイッチ２３によって検出されたことに基づき、所定個数（例えば１５個）の遊技球が賞球として払い出される。したがって、特別可変入賞球装置７において大入賞口が開放状態となれば、その大入賞口に遊技球が進入可能となり、遊技者にとって有利な第１の状態となる。その一方で、特別可変入賞球装置７において大入賞口が閉鎖状態となれば、大入賞口に遊技球を通過（進入）させて賞球を得ることが不可能または困難になり、遊技者にとって不利な第２の状態となる。
【００３８】
第２保留表示器２５Ｂの右方位置には、普通図柄表示器２０が設けられている。普通図柄表示器２０の右方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３９】
遊技盤２の表面には、上記の構成以外にも、遊技球の流下方向や速度を変化させる風車及び多数の障害釘が設けられている。また、遊技領域１０の最下方には、いずれの入賞口にも進入しなかった遊技球が取り込まれるアウト口が設けられている。遊技機用枠３の左右上部位置には、効果音等を再生出力するためのスピーカ８Ｌ，８Ｒが設けられており、更に遊技領域１０の周辺部には、演出用ＬＥＤ９が設けられている。遊技機用枠３の右下部位置には、遊技媒体としての遊技球を遊技領域１０に向けて発射するために遊技者等によって操作される打球操作ハンドル（操作ノブ）が設けられている。
【００４０】
遊技領域１０の下方における遊技機用枠３の所定位置には、賞球として払い出された遊技球や所定の球貸機により貸し出された遊技球を、発射装置（図示略）へと供給可能に保持（貯留）する上皿９０（打球供給皿）が設けられている。遊技機用枠３の下部には、上皿９０から溢れた余剰球などを、パチンコ遊技機１の外部へと排出可能に保持（貯留）する下皿９１が設けられている。下皿９１を形成する部材に取付けられたスティックコントローラ３１Ａの傾倒操作はコントローラセンサユニット３５Ａにて検出され、上皿９０を形成する部材に設けられたプッシュボタン３１Ｂに対してなされた押下動作はプッシュセンサ３５Ｂにて検出される。
【００４１】
次に、パチンコ遊技機１の回路構成について説明する。パチンコ遊技機１には、例えば図２に示すような主基板１１、演出制御基板１２、音声制御基板１３、ＬＥＤ制御基板１４、主基板１１と演出制御基板１２との間で伝送される各種の制御信号を中継するための中継基板１５、払出制御基板、情報端子基板、発射制御基板、インタフェース基板などといった、各種の基板が配置されている。
【００４２】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。また、主基板１１には、例えば遊技制御用マイクロコンピュータ１００や、スイッチ回路１１０、ソレノイド回路１１１などが搭載されている。
【００４３】
図２に示すように、主基板１１には、通過ゲート４１を通過した遊技球を検出するゲートスイッチ２１、第１始動口スイッチ２２Ａ、第２始動口スイッチ２２Ｂ、カウントスイッチ２３からの検出信号を伝送する配線が接続されている。また、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００４４】
主基板１１から演出制御基板１２に向けて伝送される制御信号は、例えば電気信号として送受信される演出制御コマンドである。演出制御コマンドには、例えば、演出図柄の変動時間及びリーチ演出の種類や擬似連の有無等の変動態様を示す変動パターンを示す変動パターン指定コマンド等が含まれている。
【００４５】
主基板１１に搭載された遊技制御用マイクロコンピュータ１００は、例えば１チップのマイクロコンピュータであり、遊技制御用のプログラムや固定データ等を記憶するＲＯＭ１０１（ReadOnlyMemory１０１）と、遊技制御用のワークエリアを提供するＲＡＭ１０２（RandomAccessMemory１０２）と、遊技制御用のプログラムを実行して制御動作を行うＣＰＵ１０３（CentralProcessingUnit１０３）と、ＣＰＵ１０３とは独立して乱数値を示す数値データの更新を行う乱数回路１０４と、Ｉ／Ｏ１０５（Input/Outputport１０５）と、を備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。
【００４６】
図２に示すように、演出制御基板１２は、主基板１１とは独立したサブ側の制御基板であり、中継基板１５を介して主基板１１から伝送された制御信号を受信して、演出表示装置５、スピーカ８Ｌ，８Ｒ、演出用ＬＥＤ９、昇降用モータ３０８Ｌ，３０８Ｒ、回動用モータ３５０、突出用モータ３６０、下方位置検出スイッチ３１３Ｌ，３１３Ｒ、中間位置検出スイッチ３１４Ｌ，３１４Ｒ、上方位置検出スイッチ３１５Ｌ，３１５Ｒ、演出用ソレノイド３１８Ｌ，３１８Ｒ、初期位置スイッチ３５１、展開位置スイッチ３５２、収納位置スイッチ３６１、突出位置スイッチ３６２といった演出用の電気部品による演出動作を制御するための各種回路や、スティックコントローラ３１Ａ、プッシュボタン３１Ｂといった電気部品の動作を検出するための各種回路が搭載されている。
【００４７】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、演出表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。一例として、演出制御基板１２では、演出制御用ＣＰＵ１２０がＲＯＭ１２１から読み出した演出制御用のプログラムを実行することにより、演出用の電気部品による演出動作を制御するための処理が実行される。また、ＲＯＭ１２１には、演出制御用のプログラムの他にも、演出動作を制御するために用いられる各種のデータテーブルなどが格納されている。
【００４８】
次に、パチンコ遊技機１における遊技の進行を概略的に説明する。パチンコ遊技機１では、遊技領域１０に設けられた通過ゲート４１を遊技球が通過したことに基づいて、普通図柄表示器２０による普図ゲームが開始される。普通図柄の変動を開始させた後、普図変動時間となる所定時間が経過し、普図当り図柄以外の普通図柄が停止表示されれば、普通図柄の変動表示結果が「普図はずれ」となる。特定の普通図柄（普図当り図柄）が停止表示されれば、普通図柄の変動表示結果が「普図当り」となり、普通可変入賞球装置６Ｂの可動板が遊技領域１０から退避する開放制御が行われ、所定時間が経過すると遊技領域１０に突出する閉鎖位置に戻る通常開放制御が行われる。
【００４９】
遊技球が第１始動入賞口に入賞したことなどにより第１始動条件が成立した後に、例えば前回の特図ゲームや大当り遊技状態が終了したことなどにより第１開始条件が成立したことに基づいて、第１特別図柄表示器４Ａによる特図ゲームが開始される。また、遊技球が第２始動入賞口に入賞したことなどにより第２始動条件が成立した後に、例えば前回の特図ゲームや大当り遊技状態が終了したことなどにより第２開始条件が成立したことに基づいて、第２特別図柄表示器４Ｂによる特図ゲームが開始される。
【００５０】
特図ゲームでは、特別図柄の変動表示を開始させた後、変動表示時間が経過すると確定特別図柄（特図表示結果）を導出表示する。このとき、特定の特別図柄（大当り図柄）が停止表示されれば、特定表示結果としての「大当り」となり、大当り図柄とは異なる特別図柄が停止表示されれば「はずれ」となる。特図ゲームでの変動表示結果が「大当り」になった後には、遊技者にとって有利なラウンド（「ラウンド遊技」ともいう）を所定回数実行する特定遊技状態としての大当り遊技状態に制御される。
【００５１】
大当り遊技状態においては、特別可変入賞球装置７の大入賞口扉が、所定の上限時間（例えば２９秒間や０．１秒間）が経過するまでの期間あるいは所定個数（例えば９個）の入賞球が発生するまでの期間にて、大入賞口を開放状態とする。これにより、特別可変入賞球装置７を遊技者にとって有利な第１の状態（開放状態）とするラウンドが実行される。
【００５２】
ラウンドの実行中に大入賞口を開放状態とした大入賞口扉は、遊技盤２の表面を落下する遊技球を受け止め、その後に大入賞口を閉鎖状態とすることにより、特別可変入賞球装置７を遊技者にとって不利な第２の状態（閉鎖状態）に変化させて、１回のラウンドを終了させる。大入賞口の開放サイクルであるラウンドは、その実行回数が所定の上限回数（例えば「１６」など）に達するまで、繰り返し実行可能となっている。
【００５３】
演出表示装置５の演出図柄表示エリア５Ｌ，５Ｃ，５Ｒでは、特図ゲームが開始されることに対応して、演出図柄の変動表示が開始される。そして、演出図柄の変動表示が開始されてから変動表示が終了するまでの期間では、演出図柄の変動表示状態が所定のリーチ状態となることがある。リーチ状態とは、演出表示装置５の表示領域にて停止表示された演出図柄が大当り組合せの一部を構成しているときに未だ停止表示されていない演出図柄については変動が継続している表示状態、あるいは、全部または一部の演出図柄が大当り組合せの全部または一部を構成しながら同期して変動している表示状態のことである。
【００５４】
特図ゲームにおける確定特別図柄として、複数種類の大当り組合せのうち、所定の通常大当り組合せ（「非確変大当り組合せ」ともいう）となる確定演出図柄が停止表示され、変動表示結果が「非確変大当り」となった場合は大当り状態に制御され、その終了後には、時間短縮制御（時短制御）が行われる。時短制御が行われることにより、特図ゲームにおける特別図柄の変動表示時間（特図変動時間）は、通常状態に比べて短縮される。尚、時短制御では、普通図柄の当選頻度が高められて、普通可変入賞球装置６Ｂへの入賞頻度が高められる、いわゆる電チューサポートが実施される。時短制御は、大当り遊技状態の終了後に所定回数（例えば１００回）の特図ゲームが実行されることと、変動表示結果が「大当り」となることのうち、いずれかの条件が先に成立したときに、終了すればよい。
【００５５】
特図ゲームにおける確定特別図柄として、複数種類の大当り組合せのうち、所定の確変大当り組合せ（「確変大当り組合せ」ともいう）となる確定演出図柄が停止表示され、変動表示結果が「確変大当り」となった場合は大当り状態に制御され、その終了後には、時短制御とともに確率変動制御（確変制御）が行われる。この確変制御が行われることにより、各回の特図ゲームにおいて変動表示結果が「大当り」となる確率は、通常状態に比べて高くなるように向上する。確変制御は、大当り遊技状態の終了後に変動表示結果が「大当り」となって再び大当り遊技状態に制御されるという条件が成立したとき、大当り遊技状態の終了後に所定回数（例えば時短回数と同じ１００回）の特図ゲームが実行されたとき、大当り遊技状態の終了後に特図ゲームが開始されるごとに実行される確変転落抽選にて確変制御を終了させる「確変転落あり」の決定がなされたとき、などに終了すればよい。
【００５６】
時短制御が行われるときには、普図ゲームにおける普通図柄の変動時間（普図変動時間）を通常状態のときよりも短くする制御や、各回の普図ゲームで普通図柄の変動表示結果が「普図当り」となる確率を通常状態のときよりも向上させる制御、変動表示結果が「普図当り」となったことに基づく普通可変入賞球装置６Ｂにおける可動板の移動制御を行う移動制御時間を通常状態のときよりも長くする制御、その移動回数を通常状態のときよりも増加させる制御といった、遊技球が第２始動入賞口を通過（進入）しやすくして第２始動条件が成立する可能性を高めることで遊技者にとって有利となる制御（電チューサポート制御、高開放制御）が行われる。これにより、第２特図を用いた特図ゲームを実行するための第２始動条件が成立しやすくなり、特図ゲームが頻繁に実行可能となることで、次に変動表示結果が「大当り」となるまでの時間が短縮される。
【００５７】
次に、本実施例におけるパチンコ遊技機１の動作（作用）を説明する。主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理において遊技制御用タイマ割込み処理を開始すると、スイッチ処理、メイン側エラー処理、情報出力処理、遊技用乱数更新処理、特別図柄プロセス処理、普通図柄プロセス処理、コマンド制御処理を実行する。
【００５８】
特別図柄プロセス処理では、遊技制御フラグ設定部（図示略）に設けられた特図プロセスフラグの値をパチンコ遊技機１における遊技の進行状況に応じて更新し、第１特別図柄表示器４Ａや第２特別図柄表示器４Ｂにおける表示動作の制御や、特別可変入賞球装置７における大入賞口の開閉動作設定などを、所定の手順で行うために各種の処理が選択されて実行される。
【００５９】
特別図柄プロセス処理において、ＣＰＵ１０３は、まず、第１始動入賞や第２始動入賞があったか否かを判定し、入賞があった場合には、特図表示結果判定用、大当り種別判定用、変動パターン判定用などの乱数値をそれぞれ抽出して、第１特図保留記憶部や第２特図保留記憶部における空きエントリの最上位に格納（記憶）する始動入賞処理を実行する。
【００６０】
また、ＣＰＵ１０３は、第１特図保留記憶部や第２特図保留記憶部に記憶されている保留データの有無などに基づいて特図ゲームを開始するか否かの判定や、特図表示結果判定用の乱数値を示す数値データに基づき、特別図柄や演出図柄の変動表示結果を「大当り」とするか否かを、その変動表示結果が導出表示される前に決定（事前決定）する特別図柄通常処理を実行する。つまり、ＣＰＵ１０３は、特図ゲームの変動表示を開始するときに、始動入賞が発生したときに記憶した乱数値に基づいて、当該変動表示の表示結果として大当り表示結果を導出表示するか否かを決定（抽選）する処理を実行する。
【００６１】
次いで、変動パターンを複数種類のいずれかに決定する変動パターン設定処理、特別図柄を変動させるための設定や特別図柄が変動を開始してからの経過時間を計測する処理を行う特別図柄変動処理、特別図柄の変動を停止させて確定特別図柄を停止表示（導出）させるための設定を行う特別図柄停止処理を行う。また、変動表示結果が「大当り」となった場合は、大当り遊技状態において大入賞口を開閉させる処理を行う大当り開放前処理、大当り開放中処理、大当り開放後処理、大当り終了処理を行う。
【００６２】
次に、演出制御基板１２の動作を説明する。先ず、演出制御用ＣＰＵ１２０は、電源が投入されると、メイン処理の実行を開始する。メイン処理においてタイマ割込が発生すると、コマンド解析処理、演出制御プロセス処理、演出用乱数更新処理を実行する。
【００６３】
演出制御プロセス処理では、演出表示装置５の第１保留記憶表示エリア５Ｄ及び第２保留記憶表示エリア５Ｕでの保留記憶表示を、保留記憶バッファの記憶内容に応じた表示に更新する保留表示更新処理を実行する。次いで、演出制御プロセスフラグの値に応じて、遊技制御用マイクロコンピュータ１００から変動パターン指定コマンドを受信しているか否か確認する変動パターン指定コマンド受信待ち処理、演出図柄の変動が開始されるように制御する演出図柄変動開始処理、演出図柄変動開始処理にてセットされたプロセスデータに応じて変動パターンを構成する各変動状態（変動速度）の切替タイミング等の制御や変動時間の終了を監視するとともに、演出表示装置５の表示制御、スピーカ８Ｌ，８Ｒからの音出力、演出用ＬＥＤ９の発光及び演出ユニット３００の駆動制御等を行う演出図柄変動中処理、演出図柄の変動を停止し表示結果（停止図柄）を導出表示する制御を行う演出図柄変動停止処理を行う。
【００６４】
大当り表示処理においては、変動時間の終了後、演出表示装置５に大当りの発生を報知するための画面を表示する制御を行う。大当り遊技中処理においては、大当り遊技中の制御を行う。大当り終了演出処理においては、演出表示装置５において、大当り遊技状態が終了したことを遊技者に報知する表示制御を行う。
【００６５】
このように演出制御用ＣＰＵ１２０は、遊技制御用マイクロコンピュータ１００から送信された演出制御コマンド（制御情報）に基づいて、演出図柄の変動表示制御や予告演出といった遊技に関連する各種演出を実行可能とされている。
【００６６】
尚、演出制御用ＣＰＵ１２０が演出図柄の変動表示中において実行する予告演出としては、例えば、大当りの可能性を示唆する大当り予告演出や、リーチになるか否かを示唆するリーチ予告、停止図柄を予告する停止図柄予告、遊技状態が確率変動状態であるか否か（潜伏しているか否か）を予告する潜伏予告といったように、変動表示開始時やリーチ成立時において実行される複数の予告を含む。
【００６７】
本実施例では、以下に説明する演出ユニット３００の第１可動体３０２による可動体演出や、演出ユニット３００とスピーカ８Ｌ，８Ｒ、及び演出用ＬＥＤ９等とによる複合演出や、遊技者がスティックコントローラ３１Ａまたはプッシュボタン３１Ｂを操作したことを条件に実行される操作演出といった各種演出が各種予告として実行可能とされている。
【００６８】
次に、図３〜図９に基づいて、演出ユニット３００について説明する。図３は、第１可動体が第１位置にある演出ユニットを示す正面図である。図４は、（Ａ）は第１可動体が第１位置にて第１回動状態にある第１可動体ユニットを示す正面図、（Ｂ）は第１可動体が第２位置にて第２回動状態にある第１可動体ユニットを示す正面図である。図５は、（Ａ）は動作前の第２可動体ユニット及び第３可動体ユニットを示す正面図、（Ｂ）は動作後の第２可動体ユニット及び第３可動体ユニットを示す正面図である。図６は、演出ユニットを正面側から見た分解斜視図である。図７は、演出ユニットを背面側から見た分解斜視図である。図８は、（Ａ）は第１可動体が第１位置にある第１可動体ユニットを示す説明図、（Ｂ）は同じく背面図である。図９は、（Ａ）（Ｂ）は第１可動体の駆動機構を示す説明図である。
【００６９】
図３〜図７に示すように、演出ユニット３００は、遊技盤２と該遊技盤２の背面側に設けられる演出表示装置５との間に設けられ、正面視略下向きコ字形に形成されるベース部３０１、及び該ベース部３０１の上部の第１位置（図４（Ａ）参照）と該第１位置よりも下方の第２位置（図４（Ｂ）参照）とに移動可能であるとともに、後述する回動中心Ｐを中心に回動可能な第１可動体３０２から成る第１可動体ユニットと、ベース部３０１の左側辺部３０１ｂ及び右側辺部３０１ｃの後方に設けられるベース部４０１Ｌ，４０１Ｒ、及びベース部４０１Ｌ，４０１Ｒから側方（演出表示装置５の前面）に向けて突出可能な第２可動体４０２Ｌ，４０２Ｒから成る第２可動体ユニットと、ベース部３０１の下方に設けられるベース部５０１、及びベース部５０１から上方（演出表示装置５の前面）に向けて突出可能な第３可動体５０２から成る第３可動体ユニットと、を有する。
【００７０】
第１可動体ユニットにおけるベース部３０１は、上辺部３０１ａ、左側辺部３０１ｂ及び右側辺部３０１ｃにより下向き略コ字形に形成され、各上辺部３０１ａ、左側辺部３０１ｂ及び右側辺部３０１ｃが演出表示装置５の表示画面の各辺に沿うように配設されている。また、ベース部４０１Ｌ，４０１Ｒは、左側辺部３０１ｂ及び右側辺部３０１ｃの後方に前後方向に重畳して配置されている。また、ベース部５０１は、演出表示装置５の表示画面の下辺に沿うように配設されている。したがって、ベース部３０１（上辺部３０１ａ、左側辺部３０１ｂ及び右側辺部３０１ｃ）、ベース部４０１Ｌ，４０１Ｒ、ベース部５０１により矩形状に囲まれた開口から演出表示装置５の表示画面を視認できるようになっている（図１参照）。
【００７１】
また、上辺部３０１ａの前面側には、第１可動体３０２の背面側に配置される装飾体３８０が取付けられており、装飾体３８０は、第１位置にある状態、及び後述する突出体３７０が突出した状態（図４（Ｂ）及び図１８）において、突出体３７０の背面側の周囲を装飾するようになっている。言い換えれば、装飾体３８０は、遊技者（前方側）から見て第１可動体３０２の奥側に設けられている。尚、図４（Ａ）は、第１可動体３０２が第１回動状態となっており、図４（Ｂ）は、第１可動体３０２が第２回動状態となっている。つまり、第１回動状態は、第１可動体３０２の回動状態における初期状態であり、第２回動状態は、第１可動体３０２の回動状態における展開状態である。尚、第１可動体３０２の第１回動状態及び第２回動状態の詳細については、後段にて説明する。
【００７２】
図５に示すように、第２可動体４０２Ｌ，４０２Ｒは、複数のアームが端部同士で回動可能に接続された帯状を成しており、所定の駆動機構により、ベース部４０１Ｌ，４０１Ｒの後方に重畳する非動作状態（図５（Ａ）の状態）と、ベース部４０１Ｌ，４０１Ｒから略環状を成して側方に突出される動作状態（図５（Ｂ）の状態）と、に動作可能となっている。
【００７３】
また、第３可動体５０２は、ベース部５０１に対して回動可能に取付けられるアーム５０３Ｌ，５０３Ｒと、該アーム５０３Ｌ，５０３Ｒを回動させる回動機構と、から構成されており、前記回動機構により、アーム５０３Ｌ，５０３Ｒの端部同士が離間して開いた非動作状態（図５（Ａ）の状態）と、アーム５０３Ｌ，５０３Ｒがベース部５０１の上方に配置されるように回動し所定の図形（例えば、ハート形等）を形成する動作状態（図５（Ｂ）の状態）と、に動作可能となっている。
【００７４】
図８に示されるように、ベース部３０１の左側辺部３０１ｂ及び右側辺部３０１ｃの前面には、後述する第１可動体３０２を上下方向に案内する案内軸３０６Ｌ，３０６Ｒが設けられている。また、左側辺部３０１ｂ及び右側辺部３０１ｃには、案内軸３０６Ｌ，３０６Ｒを前面側から挟み込むように固定されるカバー部材３０７Ｌ，３０７Ｒ（図３及び図４参照）が設けられており、案内軸３０６Ｌ，３０６Ｒが遊技者から視認し難くなっている。尚、図８においては、上辺部３０１ａの構成の図示を省略している。
【００７５】
案内軸３０６Ｌ，３０６Ｒは、左側辺部３０１ｂ及び右側辺部３０１ｃの前面上部に固定される上軸受部と、カバー部材３０７Ｌ，３０７Ｒの後面下部に設けられる下軸受部と、により、軸心周りに回転可能に軸支されている。案内軸３０６Ｌ，３０６Ｒの周面には、凹状の溝部３２１が螺旋状に形成されている。
【００７６】
また、図９の右図に示すように、案内軸３０６Ｌ，３０６Ｒの上端には、従動ギヤ３３９が固着されており、その近傍には、昇降用モータ３０８Ｌ，３０８Ｒが固定されている。尚、昇降用モータ３０８Ｌ，３０８Ｒは、駆動軸３３７が下方に突出するように設けられており、該駆動軸３３７の先端に固着された駆動ギヤ３３８は案内軸３０６Ｌ，３０６Ｒの従動ギヤ３３９に噛合されている。よって、昇降用モータ３０８Ｌ，３０８Ｒを駆動させることにより案内軸３０６Ｌ，３０６Ｒが軸心周りに回転する。
【００７７】
図８に戻って、案内軸３０６Ｌ，３０６Ｒには、第１可動体３０２から左右方向に延びるアーム３０９Ｌ，３０９Ｒが昇降可能に取付けられている。尚、案内軸３０６Ｌ，３０６Ｒに対するアーム３０９Ｌ，３０９Ｒの取付形態については、後段にて説明する。
【００７８】
また、図８（Ｂ）に示すように、左側辺部３０１ｂ及び右側辺部３０１ｃには、左側辺部３０１ｂ及び右側辺部３０１ｃの上方位置にてアーム３０９Ｌ，３０９Ｒの一部を検出する上方位置検出スイッチ３１５Ｌ，３１５Ｒと、左側辺部３０１ｂ及び右側辺部３０１ｃの中間位置にてアーム３０９Ｌ，３０９Ｒの一部を検出する中間位置検出スイッチ３１４Ｌ，３１４Ｒと、左側辺部３０１ｂ及び右側辺部３０１ｃの下方位置にてアーム３０９Ｌ，３０９Ｒの一部を検出する下方位置検出スイッチ３１３Ｌ，３１３Ｒが設けられている。また、第１位置に配置された第１可動体３０２の上部には、遊技盤２を装飾する装飾部材３９０が遊技機用枠３の上部に固定されており、この装飾部材３９０には、第１位置にある第１可動体３０２の一部と当接する２つの当接部３９１が設けられている。尚、第１可動体３０２と当接部３９１との当接については、後段にて詳述する。
【００７９】
更に、左側辺部３０１ｂ及び右側辺部３０１ｃの上部には、第１可動体３０２を装飾体３８０と前後方向に重畳する位置（第１位置）に保持するための演出用ソレノイド３１８Ｌ，３１８Ｒと、第１可動体３０２を上方に向けて付勢する付勢手段３１０Ｌ，３１０Ｒと、が設けられている。
【００８０】
尚、演出用ソレノイド３１８Ｌ，３１８Ｒは、図９の左図に示すように、左右に進退可能な係止部材３１８ａを備えている。演出用ソレノイド３１８Ｌ，３１８Ｒがオフの状態時には、係止部材３１８ａがアーム３０９Ｌ，３０９Ｒ側に突出するようになっている。つまり、図９（Ａ）に示すように、演出用ソレノイド３１８Ｌ，３１８Ｒがオフの状態時には、第１可動体３０２を係止部材３１８ａに係止させて第１可動体３０２を第１位置に保持でき、該第１位置での第１回動状態において振動等により落下及び回動してしまうことを抑制することができる。また、図９（Ｂ）に示すように、演出用ソレノイド３１８Ｌ，３１８Ｒがオンの状態時には、係止部材３１８ａがアーム３０９Ｌ，３０９Ｒ側から退避するようになっている。つまり、演出用ソレノイド３１８Ｌ，３１８Ｒがオンの状態時には、第１可動体３０２と係止部材３１８ａとの係止状態を解いて第１可動体３０２を第２位置に移動可能な状態とすることができる。
【００８１】
付勢手段３１０Ｌ，３１０Ｒは、左右方向に延びる軸を中心に回動可能に軸支されるボビン３１６と、ボビン３１６に巻き取り可能に設けられた帯状の定荷重バネ３１７と、から主に構成される。定荷重バネ３１７は、所定長さを有する帯状のバネ部材であり、一端はボビン３１６に固定され、他端は、アーム３０９Ｌ，３０９Ｒに固定されており、自然状態において、ボビン３１６に巻き取られる方向に戻り力が働いている。すなわち、第１可動体３０２が上方位置にあるときにはボビン３１６の周面に巻回され、第１可動体３０２が少なくとも下方位置まで落下可能に引き出されるのに必要な長さを有している。
【００８２】
定荷重バネ３１７は、直線に引き伸ばすときに生じる戻り力（荷重）がストロークにかかわらず略一定になっており、第１可動体３０２は、その自重が定荷重バネ３１７の戻り力よりも大きい状態で支持されている。このように、第１可動体３０２の重量が定荷重バネ３１７の戻り力を上回ることで、第１可動体３０２は自重で落下可能となるが、定荷重バネ３１７の戻り力により小さな出力の昇降用モータ３０８Ｌ，３０８Ｒで上昇（または下降）させることができる。
【００８３】
尚、本実施例では、第１可動体３０２は、その自重が定荷重バネ３１７の戻り力よりも大きい状態で支持されているが、本発明はこれに限定されるものではなく、その自重が定荷重バネ３１７の戻り力とバランスが取られた状態で支持されるようにしてもよい。このようにすることで、第１可動体３０２の重量が理論上ゼロとなり、小さな出力の昇降用モータ３０８Ｌ，３０８Ｒで上昇（または下降）させることができる。
【００８４】
図８及び図９に示すように、案内軸３０６Ｌ，３０６Ｒには、第１可動体３０２のアーム３０９Ｌ，３０９Ｒが上下方向に移動可能に設けられる。詳しくは、アーム３０９Ｌは、案内軸３０６Ｌに向けて延びており、その左端部には、上下方向に貫通する図示しない貫通孔が形成されている。この貫通孔には、案内軸３０６Ｌが挿通され、該貫通孔の内周面に形成された図示しない係合部が案内軸３０６Ｌの溝部３２１に嵌合している。
【００８５】
また、アーム３０９Ｒは、第１可動体３０２の右側方から突出する第１アーム３０９Ａと、第１アーム３０９Ａに連結される別体の第２アーム３０９Ｂと、から構成されている。図８（Ａ）の拡大部及び図１１、図１２に示すように、第１アーム３０９Ａの右端には、右側に突出する突出部３４２が設けられており、突出部３４２には、左右方向に延びる長孔３４３が上下に２つ形成されている。第２アーム３０９Ｂは、突出部３４２の前面側に配置される第１分割体３４４と、突出部３４２の背面側に配置される第２分割体３４５と、を有している。第１分割体３４４は、長孔３４３に遊び（隙間Ｓ）を持って挿通されるピン３４４ａと、上下方向に貫通する貫通孔３４４ｂと、を備えており、貫通孔３４４ｂには、案内軸３０６Ｒが挿入されている。
【００８６】
また、第２分割体３４５は、ピン３４４ａと突出部３４２よりも右方に離れた位置とで第１分割体３４４に連結されることで第２アーム３０９Ｂが構成される。すなわち、第２アーム３０９Ｂは、ピン３４４ａが長孔３４３に遊びを持って挿通された状態で第１アーム３０９Ａに連結される。
【００８７】
図９の右図に示すように、貫通孔３４４ｂの内周面には、係合部３３３が突設されており、係合部３３３は、案内軸３０６Ｒの溝部３２１内に嵌合されている。このように、アーム３０９Ｌの係合部及びアーム３０９Ｒの係合部３３３が案内軸３０６Ｌ，３０６Ｒの溝部３２１に嵌合されていることで、案内軸３０６Ｌ，３０６Ｒが第１方向に回転するとアーム３０９Ｌ，３０９Ｒが上昇し（図３２（Ｂ）参照）、案内軸３０６Ｌ，３０６Ｒが第１方向とは逆の第２方向に回転するとアーム３０９Ｌ，３０９Ｒが下降するようになっている（図３０（Ｂ）参照）。更に、係合部３３３は、案内軸３０６Ｌ，３０６Ｒの溝部３２１内に遊びを持って嵌合されているため、案内軸３０６Ｌ，３０６Ｒの回転時における係合部３３３と溝部３２１との摩擦が少なく、アーム３０９Ｌ，３０９Ｒが昇降移動しやすくなっている。
【００８８】
また、第２アーム３０９Ｂは、ピン３４４ａが長孔３４３に遊びを持って挿通された状態で第１アーム３０９Ａに連結されているため、例えば、アーム３０９Ｌ，３０９Ｒの昇降移動時に上下方向の相対的な位置ずれ等が生じた場合であっても、ピン３４４ａが長孔３４３内を左右に移動して、アーム３０９Ｌ，３０９Ｒに捻じれ等の負荷が掛かることを防止できる。尚、アーム３０９Ｌ，３０９Ｒと第１可動体３０２における後述する箱状部３０２Ａとの具体的な接続構造については、後段にて詳述する。
【００８９】
尚、ここでは、案内軸３０６Ｌ，３０６Ｒにより第１可動体３０２が昇降移動する形態を例示したが、本発明はこれに限定されるものではなく、例えば、ラックピニオン等の他の昇降機構により第１可動体３０２が昇降移動するようになっていてもよい。
【００９０】
次に、第１可動体３０２の構造について、図１０〜図２８に基づいて説明する。図１０は、第１可動体の構造を示す六面図である。図１１は、第１可動体を正面側から見た分解斜視図である。図１２は、第１可動体を背面側から見た分解斜視図である。図１３は、第１可動体における突出体を正面側から見た分解斜視図である。図１４は、第１可動体における突出体を背面側から見た分解斜視図である。図１５は、（Ａ）は第１可動体の底面図、（Ｂ）は（Ａ）からギヤベース部材の構成を省略した図である。図１６は、蓋部材の構造を省略した第１可動体の背面図である。図１７は、第１可動体が第２位置にて第２回動状態となった状態を示す説明図である。図１８は、Ｃ−Ｃ断面図である。図１９は、図１７の状態から突出体が突出した第２状態となった状態を示す説明図である。図２０は、Ｄ−Ｄ断面図である。図２１は、（Ａ）は第２回動状態となった第１可動体を後方から見た状態を示す説明図、（Ｂ）は（Ａ）の第１可動体を右側方から見た状態を示す説明図、（Ｃ）は（Ａ）におけるギヤを後方から見た状態を示す説明図、（Ｄ）は（Ａ）におけるギヤを前方から見た状態を示す説明図、（Ｅ）は（Ａ）の第１可動体を前方からみた状態を示す説明図である。図２２は、（Ａ）は蓋部材が開放した第１可動体を後方から見た状態を示す説明図、（Ｂ）は（Ａ）の第１可動体を右側方から見た状態を示す説明図、（Ｃ）は（Ａ）におけるギヤを後方から見た状態を示す説明図、（Ｄ）は（Ａ）におけるギヤを前方から見た状態を示す説明図、（Ｅ）は（Ａ）の第１可動体を前方からみた状態を示す説明図である。図２３は、（Ａ）は突出体が突出した第１可動体を後方から見た状態を示す説明図、（Ｂ）は（Ａ）の第１可動体を右側方から見た状態を示す説明図、（Ｃ）は（Ａ）におけるギヤを後方から見た状態を示す説明図、（Ｄ）は（Ａ）におけるギヤを前方から見た状態を示す説明図、（Ｅ）は（Ａ）の第１可動体を前方からみた状態を示す説明図である。図２４は、第１可動体における第１部位と第２部位を示す説明図である。図２５は、第１可動体が第２回動状態から第１回動状態に変化した状態を示す説明図である。図２６は、第１可動体の退避動作を示す説明図である。図２７は、第１可動体が第１位置に移動した状態を示す説明図である。図２８は、（Ａ）は、第２回動状態における第１可動体の配線状態を後方から見た概略図、（Ｂ）は第２回動状態における第１可動体の配線状態を上方から見た概略図、（Ｃ）は第１回動状態における第１可動体の配線状態を上方から見た概略図である。
【００９１】
図１０には、第１回動状態における第１可動体３０２を図示している。図１０に示すように、第１可動体３０２は、断面視略矩形状を成す箱状部３０２Ａと、前述したアーム３０９Ｌ，３０９Ｒと、を有しており、アーム３０９Ｌ，３０９Ｒと箱状部３０２Ａとは相対的に回動可能となっている。第１回動状態における箱状部３０２Ａの正面は、パチンコ遊技機１のロゴ等を表示する第１回動面３２２となっており、第２回動状態において下方向を向く。また、第１回動状態における箱状部３０２Ａの上面は、第２回動状態において遊技者側（正面側）を向く第２回動面３２３となっており、装飾が施されている（図１１参照）。また、第１回動状態における箱状部３０２Ａの底面は、第２回動状態において後方側を向く第３回動面３２４となっており、第１回動状態においては、遊技者から視認可能となっているので装飾が施されている。また、第１回動状態における箱状部３０２Ａの背面は、第２回動状態において上方を向く第４回動面３２５となっており、この第４回動面３２５は、開閉可能な蓋部材３１９により構成されている。
【００９２】
より詳しくは、図１１及び図１２に示すように、箱状部３０２Ａは、第１回動面３２２、第２回動面３２３、第３回動面３２４、左側面３２６及び右側面３２７を構成する板材により断面視略コ字状に形成された基部を有し、該基部の開口部を蓋部材３１９により開閉するようになっている。この箱状部３０２Ａの内部には、突出体３７０が設置されており、突出体３７０は、箱状部３０２Ａ内に収納される第１状態（図４（Ａ）及び図１７参照）と、箱状部３０２Ａの開口部（第４回動面３２５側）から突出する第２状態（図４（Ｂ）及び図１７参照）と、に変化可能である。
【００９３】
また、蓋部材３１９は、側方側の両端部に側方へ突出する軸部３１９ａを備えており、軸部３１９ａが箱状部３０２Ａの左側面３２６及び右側面３２７を構成する板材に設けられた貫通孔に挿通されることで回動可能に軸支されており、後述する開閉機構３４８により蓋部材３１９が開閉動作するようになっている。尚、蓋部材３１９の回動可能範囲は、箱状部３０２Ａに設けられた図示しないストッパ部により９０度未満となっている。
【００９４】
次に、アーム３０９Ｌ，３０９Ｒの具体的構成について説明する。図１１及び図１２に示すように、アーム３０９Ｌは、内側軸受部３３０と、外側軸受部３３１と、内側軸受部３３０及び外側軸受部３３１の間に回動自在に取付けられる回動部材３３２と、から主に構成されており、回動部材３３２は、内側軸受部３３０を介して箱状部３０２Ａの左側面３２６に設けられた突出軸３６８に固定されている。また、外側軸受部３３１に取付けられた後述する電子基板３３６を保護するための保護カバー３３４が取付けられており、この保護カバー３３４には、電子基板３３６と図示しないベース部に設置された駆動制御手段（演出制御用ＣＰＵ１２０／電源を含む）とを接続するケーブル３３５が設けられている。
【００９５】
また、アーム３０９Ｒは、内側軸受部３３０’と、外側軸受部３３１’と、内側軸受部３３０’及び外側軸受部３３１’の間に回動自在に取付けられる回動部材３３２’と、回動部材３３２’を駆動させる回動用モータ３５０と、から主に構成されており、回動部材３３２’は、内側軸受部３３０’を介して箱状部３０２Ａの右側面３２７に設けられた突出軸（図示略）に固定されている。すなわち、回動用モータ３５０を駆動させることによりアーム３０９Ｌ，３０９Ｒと箱状部３０２Ａとが左右に延びる回動中心Ｐを中心に相対的に回動する。尚、アーム３０９Ｌ，３０９Ｒは、案内軸３０６Ｌ，３０６Ｒに対して回動不能に取付けられているため、回動用モータ３５０を駆動させると、アーム３０９Ｌ，３０９Ｒは姿勢を変えない状態で箱状部３０２Ａが回動する。すなわち、第１可動体３０２を回動させることで、第４回動面３２５が後方を向く（遊技者から視認困難または視認不能となる）第１回動状態（図４（Ａ）参照）と、第４回動面３２５が上方を向く（第１回動状態とは異なる方向を向く）第２回動状態（図４（Ｂ））と、に変化させることができる。
【００９６】
また、図１０の拡大部に示すように、回動部材３３２’には、所定の被検知部３４０が設けられており、被検知部３４０の回動軌道上には、被検知部３４０を検出するセンサとしての初期位置スイッチ３５１と展開位置スイッチ３５２とが所定間隔離間して配置されている。尚、図示しないが、第１可動体３０２の第１回動状態では、初期位置スイッチ３５１により被検知部３４０が検出され、第２回動状態では、展開位置スイッチ３５２により被検知部３４０が検出されるようになっている。
【００９７】
次いで、突出体３７０について説明する。図１３〜図１５に示すように、突出体３７０は、第１可動体３０２から突出する演出を行う演出機構３７１と、演出機構３７１に駆動力を付与する駆動機構３７２と、駆動機構３７２からの駆動力を演出機構３７１に伝達するパンタグラフ機構３７３と、を備えている。
【００９８】
演出機構３７１は、箱状部３０２Ａに固定されるベース部材３７４と、ベース部材３７４に対して上下にスライド可能に取付けられる第１演出部材３７５と、第１演出部材３７５に対して上下にスライド可能に取付けられる第２演出部材３７６と、を備えている。ベース部材３７４は、上下方向に延びる２つのスリット３７７が形成されている。第１演出部材３７５の背面には、それぞれのスリット３７７に対し離脱不能に前面側から挿通されるピン３７５ａが設けられており、ピン３７５ａがスリット３７７に沿って移動することにより第１演出部材３７５がベース部材３７４に対して上下にスライド可能となっている。尚、第１演出部材３７５及び第２演出部材３７６の前面には所定の装飾が施されている。
【００９９】
また、第１演出部材３７５の背面上部には、上下に貫通して延びる２つの凹溝部３７８が形成されている。第２演出部材３７６の背面には、上下方向に延びる２つの支柱３７９を備えるフレーム部材３８２が第１演出部材３７５に対し相対移動可能に取付けられており、各凹溝部３７８に沿って移動可能に各支柱３７９が凹凸嵌合している。また、ベース部材３７４の前面には、上下に延びる断面凹形状の第１レール部材３８５が固定されており、第１演出部材３７５の背面には、第１演出部材３７５に沿って移動可能に嵌合される第２レール部材３８６が固定されており、第１レール部材３８５と第２レール部材３８６とによりベース部材３７４に対する第１演出部材３７５のスライド移動が案内される。
【０１００】
また、第２演出部材３７６の背面には、上下方向に延びる２つの棒状部３８３が固定的に設置されており、フレーム部材３８２の上部には、上下方向に貫通する２つの貫通孔３８４が形成されており、貫通孔３８４に棒状部３８３が挿通されることにより、フレーム部材３８２と第２演出部材３７６とが相対移動可能に取付けられている。
【０１０１】
尚、詳しくは、第２演出部材３７６は、フレーム部材３８２の前面に固定される第１分割部材３７６Ａと、棒状部３８３が固定される第２分割部材３７６Ｂと、から構成されており、前後にずれて配置されているため、第１分割部材３７６Ａと第２分割部材３７６Ｂとは、相対移動可能となっている（図２０参照）。
【０１０２】
駆動機構３７２は、箱状部３０２Ａに固定されるギヤベース部材３８７と、ギヤベース部材３８７に固定される突出用モータ３６０と、突出用モータ３６０の駆動軸に固定される駆動ギヤ３８８と、ギヤベース部材３８７の背面側に保持される第１ギヤ３９２〜第４ギヤ３９５と、ギヤベース部材３８７の背面側に回動可能に軸支される回動アーム３８９と、を備えている。
【０１０３】
駆動ギヤ３８８は、第１ギヤ３９２に噛合しており、第１ギヤ３９２は、第２ギヤ３９３の厚み方向の後方側に噛合している。また、第２ギヤ３９３の厚み方向の前方側には、第３ギヤ３９４が噛合している。詳しくは、図１３及び図２１（Ｄ）に示すように、第２ギヤ３９３は、その厚み方向における前方側の周方向の所定範囲が欠落した欠落部３９３ａを有しており、第２ギヤ３９３の欠落部３９３ａ以外の箇所に第３ギヤ３９４が噛合するようになっている。言い換えれば、欠落部３９３ａは、第３ギヤ３９４に対して噛合しない。また、第３ギヤ３９４は、第４ギヤ３９５に噛合されている。すなわち、駆動ギヤ３８８が駆動すると、第１ギヤ３９２、第２ギヤ３９３が回動するとともに、欠落部３９３ａ以外の箇所に第３ギヤ３９４が噛合したときに、第３ギヤ３９４と第４ギヤ３９５とが回動する。尚、図示しないが、第２ギヤ３９３の所定位置には被検出部が設けられており、被検出部の回動軌道上には被検出部を検出するセンサとしての収納位置スイッチ３６１及び突出位置スイッチ３６２が所定間隔離間して配置されている。
【０１０４】
また、図１３及び図１４に示すように、第３ギヤ３９４及び第４ギヤ３９５には、第３ギヤ３９４及び第４ギヤ３９５の回動中心よりも外側の位置から前方側に突出する突出ピン３９４ａ，３９５ａが設けられている。また、ギヤベース部材３８７には、突出ピン３９４ａ，３９５ａの回動軌道に沿って形成される湾曲スリット３８７ａ，３８７ｂが形成されている。突出ピン３９４ａ，３９５ａは、湾曲スリット３８７ａ，３８７ｂを介してパンタグラフ機構３７３における第１リンク部材３４６と第２リンク部材３４７とに設けられた長孔３４６ａ，３４７ａに挿入されている。すなわち、第３ギヤ３９４及び第４ギヤ３９５が回動することに伴って第１リンク部材３４６と第２リンク部材３４７とが回動するようになる。
【０１０５】
図１３〜図１５に示すように、回動アーム３８９は、略中央部の位置で回動軸によりギヤベース部材３８７に対して回動可能に取付けられている。回動アーム３８９の一端には、前方側に突出するピンが設けられており、当該ピンは、第２ギヤ３９３の背面側に形成された案内溝３９３ｂに挿入されている。案内溝３９３ｂは、第２ギヤ３９３の外縁に沿って形成される第１案内部３９３ｃと、第１案内部３９３ｃの一端が第２ギヤ３９３の回動中心に向けて延びる第２案内部３９３ｄと、を備えている（図２１（Ｃ）参照）。また、回動アーム３８９の他端は、開閉機構３４８における移動体３４９に設けられた凹部３４９ａ内に挿入されている。
【０１０６】
パンタグラフ機構３７３は、第１リンク部材３４６〜第６リンク部材３５６を有している。第１リンク部材３４６及び第２リンク部材３４７は、その一端が前後に重畳した状態でギヤベース部材３８７の下部から前方に突出する軸部３８７ｃに対して回動可能に軸支されている。第１リンク部材３４６及び第２リンク部材３４７の他端には、第３リンク部材３５３及び第４リンク部材３５４の一端が回動可能に軸支されており、この第３リンク部材３５３及び第４リンク部材３５４は、その略中央部で回動可能に軸支されている。また、第３リンク部材３５３及び第４リンク部材３５４の他端には、第５リンク部材３５５及び第６リンク部材３５６の一端が回動可能に軸支されており、第５リンク部材３５５及び第６リンク部材３５６の他端は、前後に重畳した状態で第２演出部材３７６の背面側上端に設けられた連結ピン３７６ａに対して回動可能に軸支されている。
【０１０７】
すなわち、パンタグラフ機構３７３は、第１リンク部材３４６及び第２リンク部材３４７が回動することにより屈曲動作及び延伸動作するようになっており、パンタグラフ機構３７３が屈曲動作時には、演出機構３７１が箱状部３０２Ａ内に収納される第１状態（図４（Ａ）及び図１７参照）となり、パンタグラフ機構３７３が延伸動作時には、演出機構３７１が箱状部３０２Ａの開口部（第４回動面３２５側）から突出する第２状態（図４（Ａ）及び図１７参照）となる。尚、図示しないが、演出機構３７１が第１状態では、収納位置スイッチ３６１により第２ギヤ３９３の被検出部が検出され、第２状態では、突出位置スイッチ３６２により第２ギヤ３９３の被検出部が検出される。
【０１０８】
また、軸部３８７ｃには、第１リンク部材３４６及び第２リンク部材３４７を前後から挟むように第１バネ部材３５７と第２バネ部材３５８とが配置されている。この第１バネ部材３５７及び第２バネ部材３５８は、所謂トーションバネであって、第１リンク部材３４６の後方に配置される第１バネ部材３５７は、その一端が第１リンク部材３４６を立設する方向に付勢するように係合されており、他端がギヤベース部材３８７に固定されている。また、第２リンク部材３４７の前方に配置される第２バネ部材３５８は、その一端が第２リンク部材３４７を立設させる方向に付勢するように係合されており、他端がベース部材３７４に固定されている。
【０１０９】
つまり、第１リンク部材３４６及び第２リンク部材３４７が第１バネ部材３５７及び第２バネ部材３５８により突出方向に付勢されるので、突出体３７０を突出させる際における突出用モータ３６０の負荷を軽減できるとともに、第１リンク部材３４６及び第２リンク部材３４７の一端が第１バネ部材３５７及び第２バネ部材３５８によりにより前後方向から支持されることで、突出体３７０を安定して突出させることができる。
【０１１０】
また、ベース部材３７４とギヤベース部材３８７とは、パンタグラフ機構３７３を前後から挟むように連結されており、パンタグラフ機構３７３の軸部３８７ｃからの離脱が防止されるとともに、パンタグラフ機構３７３と第１演出部材３７５及び第２演出部材３７６とを支持する支持強度が高まる。尚、パンタグラフ機構３７３は、延伸動作と屈曲動作とを行うことができるようになっているため、ベース部材３７４とギヤベース部材３８７との間で圧接されておらず、部材間に若干の隙間を空けて配置されている。すなわち、箱状部３０２Ａが回動停止していてもパンタグラフ機構３７３の先端側が揺動し易くなっている。
【０１１１】
図１６は、第１回動状態における第１可動体３０２の背面図である。図１６に示すように、第１回動状態において、第１可動体３０２の回動中心Ｐよりも下方側に突出用モータ３６０を含む駆動機構３７２と、パンタグラフ機構３７３と、が配置されており、第１可動体３０２の回動中心Ｐよりも下方側に演出機構３７１が配置されている。駆動機構３７２及びパンタグラフ機構３７３の重量は、演出機構３７１の重量よりも大きくなっている。すなわち、第１可動体３０２の重量部（駆動機構３７２及びパンタグラフ機構３７３）は、第１回動状態において回動中心Ｐよりも下方に位置する。これによれば、第１可動体３０２が第１回動状態にあるときは重量部が回動中心Ｐより下方に位置するので安定性が向上する。
【０１１２】
次に、第１可動体３０２が第１位置から第２位置に移動するまでの流れを図１７〜図２０に基づいて説明する。図１７及び図１８に示すように、第１可動体３０２を第１位置から第２位置に移動させる際には、第４回動面３２５が後方を向く第１回動状態から第４回動面３２５が上方を向く第２回動状態へと変化させる。このときには、図１８及び図２４に示すように、第１可動体３０２を前方側に約９２度回転させる。すなわち、第２回動状態に変化した第１可動体３０２は、第４回動面３２５が前方側へ約２度傾くこととなる。尚、第２回動状態に変化した第１可動体３０２は、回動用モータ３５０が励磁され第１可動体３０２が回動停止状態に維持されることで、第４回動面３２５が前方側へ約２度傾いた状態が保持される。また、第１可動体３０２を第２回動状態に変化させた際には、回動中心Ｐよりも後方側に第１可動体３０２の重量部が位置することとなる。
【０１１３】
そして、図１９及び図２０に示すように、突出体３７０が第１状態から第２状態へ変化したとき（突出体３７０が箱状部３０２Ａ内から突出したとき）には、突出した突出体３７０は、その一部（例えば、第１演出部材３７５及び第２演出部材３７６の前面）が遊技者から見て装飾体３８０の前側に視認可能に重畳するとともに、突出体３７０が前方側に約２度傾倒するようになる。すなわち、突出体３７０は、装飾体３８０と反対側（装飾体３８０から離れる方向）に傾倒するため、突出体３７０が第１状態から第２状態へ突出した際に突出体３７０の先端側（上端側）が第１可動体３０２の回動方向に揺れ動くことがあっても装飾体３８０に接触しにくく、突出体３７０や装飾体３８０の破損等を抑制することができる。
【０１１４】
さらに、第１可動体３０２は前方側に約２度傾倒することに加え、前述のように蓋部材３１９の回動可能範囲が９０度未満となっているため、突出体３７０が第２状態へ変化する際に開放される蓋部材３１９が装飾体３８０に接触することを回避できる。
【０１１５】
詳しくは、突出体３７０が第１状態から第２状態へ変化したときの箱状部３０２Ａからの該突出体３７０の突出寸法Ｌ３０は、第２状態における箱状部３０２Ａの上下の寸法Ｌ２０よりも長くなっている（Ｌ２０＜Ｌ３０）。さらに、第１演出部材３７５及び第２演出部材３７６（第１分割部材３７６Ａと第２分割部材３７６Ｂ）は、第１状態において前後に重畳して配置されているため、第２状態において漸次前方側に向かうように突出される。尚、突出体３７０は、突出しても前方側のガラス窓５０ａに該突出体３７０の先端が当接しないようになっている。すなわち、第１可動体３０２は、第２状態において重心バランスが不安定であり、回動中心Ｐを中心として前方側に回動し易くなっている。
【０１１６】
しかしながら、前述のように、第２状態にあっては、回動用モータ３５０の励磁により第１可動体３０２が回動停止状態に維持されるとともに、第１可動体３０２の重量部が第１可動体３０２の回動中心Ｐよりも後方側に位置しているため、第１可動体３０２には、後方側に回転しようとする力が働き、突出体３７０が前方側へ傾倒しようとする力とバランスが取れ、第１可動体３０２の回動を抑制できる。
【０１１７】
さらに、箱状部３０２Ａが回動停止していてもパンタグラフ機構３７３の先端側が揺動し易くなっているとともに、突出体３７０の突出寸法Ｌ３０は、第２状態における箱状部３０２Ａの上下の寸法Ｌ２０よりも長くなっているため、突出体３７０の先端が前後に揺動し易いが、突出体３７０の先端の前後には所定の空間が形成されているため、突出体３７０の先端が装飾体３８０やガラス窓５０ａに当接し難くなっている。
【０１１８】
次いで、突出体３７０の動作にかかる各種部材の状態を図２１〜図２３に基づいて説明する。図２１は、第１可動体３０２の第２回動状態における突出体３７０の第１状態（第２ギヤ３９３の被検出部が収納位置スイッチ３６１により検出された状態）を示している。図２１（Ａ）に示すように、第１可動体３０２の第２回動状態にあっては、第１回動面３２２が下方向を向き、第４回動面３２５が上方向を向き、パンタグラフ機構３７３は、屈曲動作状態となっている。尚、収納位置スイッチ３６１により第２ギヤ３９３の被検出部が検出された信号に基づいて突出用モータ３６０の駆動は停止されている。
【０１１９】
このとき、図２１（Ｃ）に示すように、回動アーム３８９の一端は、案内溝３９３ｂにおける第２案内部３９３ｄに嵌合されており、回動アーム３８９の回動軸よりも上方に位置し、回動アーム３８９の他端は、回動軸よりも下方に位置している。また、図２１（Ｄ）に示すように、突出体３７０の突出待機状態にあっては、第３ギヤ３９４が第２ギヤ３９３の欠落部３９３ａに位置しており、第２ギヤ３９３と第３ギヤ３９４とは噛合していない。
【０１２０】
図２１（Ｂ）に示すように、開閉機構３４８は、左側面３２６に対して第１回動面３２２及び第４回動面３２５方向に向けてスライド可能な移動体３４９と、蓋部材３１９の軸部３１９ａに固着される回動ギヤ３６３と、から主に構成されており、回動ギヤ３６３は、移動体３４９の第４回動面３２５側の端部に設けられるラックギヤ部３４９ｂに噛合している。また、第１可動体３０２の左側面３２６におけるラックギヤ部３４９ｂよりも第２回動面３２３側には、左側に突出する突出壁部３２８が設けられている。
【０１２１】
前述のように、回動アーム３８９の他端は、回動軸よりも下方に位置していることから開閉機構３４８の移動体３４９が下方に押し下げられている。したがって、蓋部材３１９は、閉塞状態となっている。
【０１２２】
図２１（Ｅ）に示すように、開閉機構３４８は、第１回動状態における第１可動体３０２を正面側から見てアーム３０９Ｌと突出壁部３２８の後方に配置される。つまり、開閉機構３４８は、第２回動状態においてアーム３０９Ｌと突出壁部３２８により正面側から視認困難または視認不能となっている。
【０１２３】
次いで、図２１の状態から突出用モータ３６０を駆動させると、図２２に示すように、蓋部材３１９が開放状態となる。詳しくは、図２２（Ｃ）に示すように、突出用モータ３６０の駆動により、駆動ギヤ３８８が背面視時計回りに回動し、第１ギヤ３９２が背面視反時計回りに回動し、これにより第２ギヤ３９３が時計回りに回動するため、回動アーム３８９の一端が案内溝３９３ｂにおける第２案内部３９３ｄから第１案内部３９３ｃに移動する。
【０１２４】
これにより、回動アーム３８９の一端が第１案内部３９３ｃを構成する内壁に押し下げられて回動アーム３８９の他端が上向きに回動し、図２２（Ａ）（Ｂ）に示すように、移動体３４９が上方（第４回動面３２５方向）にスライドする。そして、移動体３４９のスライドに伴い、ラックギヤ部３４９ｂにより回動ギヤ３６３が回動し、蓋部材３１９が開放される。言い換えれば、突出体３７０が第２状態へ変化可能となる。また、蓋部材３１９が開放されたときには、図２２（Ｄ）に示すように、第２ギヤ３９３のギヤ部と第３ギヤ３９４とが噛合する。
【０１２５】
尚、この状態にあっては、第２ギヤ３９３のギヤ部と第３ギヤ３９４とが噛合するだけで、第２ギヤ３９３の回動は第３ギヤ３９４に伝達されていない（第３ギヤ３９４は回動していない）。したがって、図２２（Ｅ）に示すように、突出体３７０は、第１状態のままとなっている。
【０１２６】
次いで、図２２の状態から突出用モータ３６０をさらに駆動させると、図２３に示すように、突出体３７０が第２状態となる。詳しくは、図２３（Ｃ）に示すように、突出用モータ３６０の駆動により、駆動ギヤ３８８、第１ギヤ３９２、第２ギヤ３９３がさらに回動して、回動アーム３８９の一端が第１案内部３９３ｃを移動する。そのため、回動アーム３８９の他端が上向きに回動した状態が保たれ、蓋部材３１９の開放状態が保持される。
【０１２７】
また、図２３（Ｃ）（Ｄ）に示すように、第２ギヤ３９３の回動が第３ギヤ３９４に伝達され、第３ギヤ３９４及び第４ギヤ３９５が回動する。これにより、突出ピン３９４ａ，３９５ａが第３ギヤ３９４及び第４ギヤ３９５の回動中心の直上位置を越えてその反対側に位置するように回動する。
【０１２８】
すなわち、図２３（Ａ）（Ｂ）に示すように、突出ピン３９４ａ，３９５ａが第１リンク部材３４６と第２リンク部材３４７とを押し上げるように作用し、パンタグラフ機構３７３が延伸動作する。したがって、第１演出部材３７５及び第２演出部材３７６が第１可動体３０２から突出して、突出体３７０が第２状態となる。尚、突出体３７０が第２状態となった際には、第２ギヤ３９３の被検出部が突出位置スイッチ３６２により検出されるようになり、演出制御用ＣＰＵ１２０は、突出位置スイッチ３６２により第２ギヤ３９３の被検出部が検出された信号に基づいて突出用モータ３６０の駆動を停止させる。
【０１２９】
次いで、第１可動体３０２の各部位の寸法関係について図２４に基づいて説明する。図２４に示すように、第１可動体３０２は、その回動中心Ｐから第２回動面３２３と第４回動面３２５とで成す角頂部３６４までの距離（回動半径）が第１寸法Ｌ１となっており、回動中心Ｐから第３回動面３２４と第４回動面３２５とで成す角頂部３６５までの距離（回動半径）が第１寸法Ｌ２となっている。言い換えれば、角頂部３６４及び角頂部３６５は、回動半径が第１寸法Ｌ１，Ｌ２となる第１部位となっている。尚、第１寸法Ｌ２は、第１寸法Ｌ１よりも短寸である（Ｌ１＞Ｌ２）。
【０１３０】
また、第１回動状態で且つ第１位置に配置された第１可動体３０２は、角頂部３６４及び角頂部３６５が装飾体３８０の前面に当接しないようになっている。尚、第１回動状態で且つ第１位置に配置された際の第１可動体３０２の回動中心Ｐから装飾体３８０の前面までの寸法Ｌ１０は、第１寸法Ｌ１，Ｌ２よりも短寸となっている（Ｌ１＞Ｌ２＞Ｌ１０）が、第１可動体３０２は、第１位置において第２回動状態になることがないため、角頂部３６４及び角頂部３６５が装飾体３８０の前面に当接しない。
【０１３１】
また、蓋部材３１９は、第１回動状態においてその自重により後方側に傾斜する場合があり、第１可動体３０２は、その回動軸から傾斜した蓋部材３１９の端部３１９ｂまでの距離（回動半径）が第２寸法Ｌ３となっている。言い換えれば、傾斜した蓋部材３１９の端部３１９ｂは、回動半径が第２寸法Ｌ３となる第２部位となっている。尚、第２寸法Ｌ３は、第１寸法Ｌ１，Ｌ２よりも長寸となっている（Ｌ３＞Ｌ１＞Ｌ２＞Ｌ１０）。また、第１可動体３０２は、第１回動状態で且つ第２位置に配置された状態にあっては、傾斜した蓋部材３１９の端部３１９ｂは、装飾体３８０の後方側に配置されるため、第１回動状態において第２位置から第１位置に第１可動体３０２を上昇移動させると、傾斜した蓋部材３１９が装飾体３８０に接触して第１可動体３０２（蓋部材３１９）や装飾体３８０が破損する虞がある。尚、本実施例では、傾斜した蓋部材３１９が装飾体３８０に接触する第１可動体３０２の回動状態が第３回動状態となっている（第１回動状態を含む）。
【０１３２】
次いで、第１可動体３０２が第２位置から第３位置に移動するまでの流れを図２５〜図２７に基づいて説明する。図２５に示すように、第１可動体３０２を第２位置から第１位置に移動させる際には、第２回動状態から第１回動状態へと変化させながら第１可動体３０２を上昇移動させる。このときには、第１可動体３０２が回動する勢いにより蓋部材３１９が後方側に傾斜する。
【０１３３】
そして、図２６に示すように、蓋部材３１９の端部３１９ｂが装飾体３８０の下端部近傍まで上昇移動すると、第１可動体３０２を所定角度前方側に回動させ、蓋部材３１９の端部３１９ｂが装飾体３８０に接触しない第４回動状態とする。これによれば、第１可動体３０２が回動する勢いと蓋部材３１９の自重とにより前方側に傾斜するため、蓋部材３１９と装飾体３８０との接触を抑制できる。
【０１３４】
また、装飾体３８０の下端部には、装飾体３８０の前面から背面側に向けて下方に傾斜する傾斜面３８０ａが設けられているため、例えば、蓋部材３１９が閉塞の途中で装飾体３８０の下端部に到達したとしても、傾斜面３８０ａにより蓋部材３１９が閉塞方向に回動するように案内され、蓋部材３１９と装飾体３８０との接触により第１可動体３０２（蓋部材３１９）や装飾体３８０が破損することを抑制できる。
【０１３５】
図２７に示すように、第１可動体３０２が第１位置の近傍に到達すると、第１可動体３０２を所定角度後方側に回動させ、第１回動状態（第３回動状態）に復帰させる。これにより、蓋部材３１９が開放しても装飾体３８０の前面に接触してそれ以上の開放動作が規制される。また、第１可動体３０２が第１回動状態に復帰した際には、蓋部材３１９の回動軸側に設けられる凸部３９８が装飾部材３９０に設けられる当接部３９１と当接するため、第１回動状態における第１可動体３０２の回動が規制される。
【０１３６】
次に、第１可動体３０２の配線状態を図２８に基づいて説明する。図２８（Ａ）（Ｂ）に示すように、第１可動体３０２には、ベース部側の演出制御用ＣＰＵ１２０と回動用モータ３５０及び突出用モータ３６０等とを電気的に接続する可撓性を有する複数のケーブル３９６が配設されている。複数のケーブル３９６は、一端が電子基板３３６に接続されており、他端が回動用モータ３５０や突出用モータ３６０等の接続部に接続されている。詳しくは、回動用モータ３５０や突出用モータ３６０等の接続部からアーム３０９Ｌ，３０９Ｒの軸受部を挿通させて電子基板３３６へ配線されている。これにより、ベース部側の演出制御用ＣＰＵ１２０からの供給される電気信号により回動用モータ３５０及び突出用モータ３６０等を駆動できるようになっている。尚、複数のケーブル３９６は、回動用モータ３５０や突出用モータ３６０等の接続部から所定長さ離れた位置で結束バンド３９７により束ねられている。
【０１３７】
ギヤベース部材３８７は、該ギヤベース部材３８７の背面側の所定位置に複数の爪部３８７ｄが形成されており、複数のケーブル３９６は、結束バンド３９７の位置が電子基板３３６から所定距離離れた所定位置に配置されるように爪部３８７ｄに保持されている。詳しくは、爪部３８７ｄは、その先端側が弾性力によりギヤベース部材３８７に向けて圧接するようになっており、ケーブル３９６をギヤベース部材３８７と爪部３８７ｄとで挟み込むことで結束バンド３９７の位置が所定位置に保持される。尚、ケーブル３９６における所定位置から電子基板３３６までの部位は、固定されておらず、第２回動状態においてゆとりを持った状態となっている。
【０１３８】
これによれば、複数のケーブル３９６を配線する際に、回動用モータ３５０や突出用モータ３６０等の接続部から所定長さ離れた保持位置を結束バンド３９７にて束ね、結束バンド３９７を複数の爪部３８７ｄにより所定位置に保持するだけで、回動用モータ３５０や突出用モータ３６０等の接続部から結束バンド３９７までの距離を一定にできるため、第１可動体３０２の回動や突出体３７０が動作しても、ギヤ等の各種駆動機構にケーブル３９６が巻き込まれて断線する虞がない。また、ケーブル３９６において第１可動体３０２の回動に応じて捻じれなどが生じやすい部位（ケーブル３９６における所定位置から電子基板３３６までの部位）に好適な長さを確保することができる。
【０１３９】
具体的には、図２８（Ｃ）に示すように、第１可動体３０２が第２回動状態から第１回動状態に変化しても、複数のケーブル３９６を配線する際において、予めケーブル３９６における所定位置から電子基板３３６までの部位にゆとりを持たせているため、ケーブル３９６が捻じれによる負荷により断線することを抑制できる。
【０１４０】
次いで、本実施例における可動体演出の演出態様における各種モータの動作の一例を図２９に基づいて説明する。図２９は、可動体演出における各種モータの動作の一例を示すタイミングチャートである。
【０１４１】
本実施例における可動体演出では、図２９のタイミングチャートに示すように、演出制御用ＣＰＵ１２０は、可動体演出の開始条件が成立する（例えば、可動演出の実行中におけるスティックコントローラ３１Ａの操作受付期間中にスティックコントローラ３１Ａの操作を検出したときや、操作有効期間が終了して可動体の実行タイミングとなったときなど）と、昇降用モータ３０８Ｌ，３０８Ｒを逆回転（案内軸３０６Ｌ，３０６Ｒを第２方向に回転）させ、第１可動体３０２を第１位置から第２位置に移動を開始させる（演出動作開始）。このとき、演出制御用ＣＰＵ１２０は、第１可動体３０２の回転を止めた状態、つまり、第１可動体３０２の第１回動面３２２が遊技者側（正面側）を向いた状態（第１回動状態）を保つように回動用モータ３５０を励磁する。
【０１４２】
演出制御用ＣＰＵ１２０は、中間位置検出スイッチ３１４Ｌ，３１４Ｒによりアーム３０９Ｌ，３０９Ｒの一部を検出したことに基づいて回動用モータ３５０を正転方向（前方側に向けて）に回動させる。このとき、演出制御用ＣＰＵ１２０は、昇降用モータ３０８Ｌ，３０８Ｒによる昇降用モータ３０８Ｌ，３０８Ｒの下降移動を継続している。
【０１４３】
次いで、演出制御用ＣＰＵ１２０は、下方位置検出スイッチ３１３Ｌ，３１３Ｒによりアーム３０９Ｌ，３０９Ｒの一部を検出（第２位置に到達）したことに基づいて昇降用モータ３０８Ｌ，３０８Ｒを停止させるとともに、展開位置スイッチ３５２により回動部材３３２'の被検知部３４０を検出（第２回動状態に変化）したことに基づいて回動用モータ３５０を第２回動状態に保持するように回動用モータ３５０を励磁する。
【０１４４】
尚、本実施例では、第１可動体３０２が第２位置に到達したタイミングで第２回動状態に変化する形態を例示したが、本発明はこれに限定されるものではなく、例えば、第１可動体３０２が第２位置に到達した後に第２回動状態に変化してもよいし、第１可動体３０２が第２位置に到達する前に第２回動状態に変化してもよい。
【０１４５】
続いて、演出制御用ＣＰＵ１２０は、第１可動体３０２が第２位置に到達し、第２回動状態に変化したことに基づいて、突出用モータ３６０を正転方向に駆動させる。これにより、蓋部材３１９が開放し、その後突出体３７０が第１状態（収納状態）から第２状態（突出状態）に変化する。演出制御用ＣＰＵ１２０は、突出位置スイッチ３６２が第２ギヤ３９３の被検出部を検出したことに基づいて突出用モータ３６０を停止させるが、突出用モータ３６０や各種ギヤ等の負荷により突出体３７０の第２状態が維持される。尚、回動用モータ３５０は、突出用モータ３６０の駆動中及び駆動後も第２回動状態に保持するように継続して励磁されている。
【０１４６】
突出体３７０の第２状態となってから所定期間が経過したら、演出制御用ＣＰＵ１２０は、突出用モータ３６０を逆転方向に駆動させる（収納動作開始）。これにより、突出体３７０が第２状態（突出状態）から第１状態（収納状態）に変化する。そして、演出制御用ＣＰＵ１２０は、収納位置スイッチ３６１が第２ギヤ３９３の被検出部を検出したことに基づいて突出用モータ３６０を停止させる。
【０１４７】
次いで、演出制御用ＣＰＵ１２０は、突出体３７０が第２状態（突出状態）から第１状態（収納状態）に変化したことに基づいて、回動用モータ３５０を逆転方向（後方に向けて）に回動させるとともに、昇降用モータ３０８Ｌ，３０８Ｒを正回転（案内軸３０６Ｌ，３０６Ｒを第１方向に回転）させ、第１可動体３０２を第２位置から第１位置に移動を開始させる。尚、演出制御用ＣＰＵ１２０は、収納位置スイッチ３６１が第２ギヤ３９３の被検出部を検出しない場合には、回動用モータ３５０を駆動させない。
【０１４８】
次いで、演出制御用ＣＰＵ１２０は、初期位置スイッチ３５１により回動部材３３２'の被検知部３４０を検出（第１回動状態に変化）したことに基づいて回動用モータ３５０を第１回動状態に保持するように回動用モータ３５０を励磁する。
【０１４９】
尚、本実施例では、第１可動体３０２を回動用モータ３５０により第１回動状態に変化させる動作と、昇降用モータ３０８Ｌ，３０８Ｒにより第１位置に移動させる動作と、を同じタイミングで開始する形態を例示したが、本発明はこれに限定されるものではなく、互いの動作タイミングをずらしてもよい。例えば、第１可動体３０２を第１回動状態に変化させる動作を行った後に第１位置に移動させる動作を行ってもよいし、第１可動体３０２を第１位置に移動させる動作を行った後に第１回動状態に変化させる動作を行ってもよい。
【０１５０】
そして、演出制御用ＣＰＵ１２０は、中間位置検出スイッチ３１４Ｌ，３１４Ｒによりアーム３０９Ｌ，３０９Ｒの一部を検出したことに基づいて、回動用モータ３５０を正転方向に駆動させ、第１可動体３０２を所定角度前方側に傾斜させる第４回動状態とし、傾斜した蓋部材３１９の端部３１９ｂと装飾体３８０との接触を避ける退避動作を行う。
【０１５１】
第１可動体３０２が第１位置の近傍に到達すると、第１可動体３０２を所定角度後方側に回動させ、第１回動状態（第３回動状態）に復帰させ、第１回動状態に保持するように回動用モータ３５０を励磁する。演出制御用ＣＰＵ１２０は、上方位置検出スイッチ３１５Ｌ，３１５Ｒによりアーム３０９Ｌ，３０９Ｒの一部を検出（第１位置に到達）したことに基づいて昇降用モータ３０８Ｌ，３０８Ｒを停止させる。そして、所定時間経過すると、回動用モータ３５０をオフ状態とすることで可動体演出を終了する。
【０１５２】
次に、本実施例における可動体演出の演出態様の一例を図３０〜図３２に基づいて説明する。図３０は、（Ａ）〜（Ｄ）は第１可動体が第１位置から第２位置に移動する流れを示す説明図である。図３１は、（Ａ）〜（Ｄ）は突出体が第１状態〜第２状態、第２状態〜第１状態となる流れを示す説明図である。図３２は、（Ａ）〜（Ｄ）は第１可動体が第２位置から第１位置に移動する流れを示す説明図である。
【０１５３】
先ず、図３０（Ａ）に示すように、例えば、所定の変動表示中においてリーチ状態が成立した後にスーパーリーチ演出等が実行され、該スーパーリーチ演出の実行中における所定タイミングにおいて、演出表示装置５に遊技者に対してスティックコントローラ３１Ａを操作するよう促す表示が実行される。このとき、第１可動体３０２は、第１回動状態で第１位置に配置されている。尚、ここでは、理解を助けるために、第１回動面３２２をＡ面とし、第２回動面３２３をＢ面として説明する。
【０１５４】
遊技者がスティックコントローラ３１Ａの操作受付期間中に該スティックコントローラ３１Ａを操作すると、本実施例における可動体演出の開始条件が成立したとして可動体演出が実行され、図３０（Ｂ）に示すように、第１可動体３０２が第１位置から第２位置に移動を開始する。このとき、第１可動体３０２は、Ａ面が遊技者（正面側）を向くように励磁されながら第２位置に下降移動する。
【０１５５】
図３０（Ｃ）に示すように、第１可動体３０２は、第１位置と第２位置との略中間位置（中間位置検出スイッチ３１４Ｌ，３１４Ｒの位置）において第１回動状態から第２回動状態となるように回動を開始する。このときには、第１可動体３０２が装飾体３８０よりも下方に位置しているため、第１可動体３０２が回動しても装飾体３８０に接触することが無い。
【０１５６】
そして、図３０（Ｄ）に示すように、第１可動体３０２は、第２位置に到達すると下降移動が停止されるとともに、第２回動状態となり回動が停止される。このとき、第１可動体３０２は、Ｂ面が遊技者（正面側）を向き、Ｂ面が遊技者（正面側）を向いた状態を維持するように励磁されるとともに、Ｂ面は２度程度前方に傾斜している。
【０１５７】
次いで、図３１（Ａ）に示すように、蓋部材３１９を開放状態とする。そして図３１（Ｂ）に示すように、突出体３７０が突出して第１状態から第２状態に変化する。このとき、突出体３７０は前方側に２度程度傾斜した状態で突出する。そのため、突出体３７０と装飾体３８０との間の空間を大きくとれるため、突出した勢いなどで第１可動体３０２が後方側に傾斜したとしても、突出体３７０と装飾体３８０とが接触することを抑制できる。
【０１５８】
その後、図３１（Ｃ）に示すように、突出体３７０の第２状態が所定期間が経過すると、突出体３７０を第２状態から第１状態に変化させ、突出体３７０を第１可動体３０２内に収納し、突出体３７０が第１状態に変化すると、図３１（Ｄ）に示すように、蓋部材３１９を閉塞状態とする。
【０１５９】
次いで、図３２（Ａ）に示すように、第１可動体３０２を第２回動状態から第１回動状態となるように回動させながら第２位置から第１位置に上昇移動させる。図３２（Ｂ）に示すように、第１可動体３０２が第１回動状態となると、その回動の勢いや蓋部材３１９の自重により後方側に傾斜するようになる。このとき、傾斜した蓋部材３１９の端部３１９ｂは、装飾体３８０の下方側の位置で該装飾体３８０よりも後方側に位置する（第３回動状態）。また、第１可動体３０２のＡ面が遊技者（正面側）を向き、Ａ面が遊技者（正面側）を向いた状態を維持するように励磁される。
【０１６０】
図３２（Ｃ）に示すように、第１可動体３０２を第１位置と第２位置との略中間位置（中間位置検出スイッチ３１４Ｌ，３１４Ｒの位置）において前方側に所定角度傾斜させ、少なくとも傾斜した蓋部材３１９の端部３１９ｂが装飾体３８０よりも前方側に位置させる（第４回動状態）。このとき、蓋部材３１９は、第１可動体３０２の回動の勢いや第１可動体３０２により閉塞状態となる。
【０１６１】
そして、図３２（Ｄ）に示すように、第１可動体３０２が装飾体３８０の下端部を越えて第１位置の近傍に到達すると、第１可動体３０２が第１回動状態に復帰する。これにより、第１可動体３０２が第１回動状態に復帰時に蓋部材３１９が後方側に傾斜したとしても、装飾体３８０によりそれ以上の後方側への傾斜が規制される。
【０１６２】
以上説明したように、本発明の実施例としてのパチンコ遊技機１にあっては、回動可能な第１可動体３０２と、第１可動体３０２の近傍に設けられる装飾体３８０と、を備え、第１可動体３０２は、第１可動体３０２の内部に少なくとも一部が収納される第１状態と第１可動体３０２の第４回動面３２５から少なくとも一部が突出する第２状態とに変化可能な突出体３７０を有し、第１回動状態と、該第１回動状態とは第４回動面３２５が異なる方向を向く第２回動状態とに変化可能に回動し、突出体３７０は、第１可動体３０２が第１回動状態から第２回動状態へ変化するまで回動した後に第１状態から第２状態へ変化し、第２回動状態において、突出体３７０が第２状態へ変化したときに突出体３７０が装飾体３８０と反対側に傾倒するように保持される。
【０１６３】
具体的には、第１可動体３０２の第４回動面３２５が後方を向く（遊技者とは反対側を向く）第１回動状態、つまり、第４回動面３２５が遊技者から視認困難または視認不能となる第１回動状態と、第４回動面３２５が上方を向く第２回動状態とに回動可能であり、突出体３７０は、第１可動体３０２が第１回動状態から第２回動状態へ変化するまで回動した後に、該第２回動状態において第１可動体３０２から突出し、遊技者から見て装飾体３８０の前側に視認可能に重畳し、遊技者から見て第１可動体３０２の奥側に設けられる装飾体３８０とは反対側（前方側）に突出体３７０が略２度傾斜するように第１可動体３０２を傾斜させる。
【０１６４】
これによれば、第１可動体３０２は第２回動状態において装飾体３８０と反対側に傾倒するように保持されることで、突出体３７０が第１状態から第２状態へ突出した際に突出体３７０の先端側が第１可動体３０２の回動方向に揺れ動くことがあっても装飾体３８０に接触しにくいため、突出体３７０や装飾体３８０の破損等を抑制することができる。
【０１６５】
詳しくは、第１可動体３０２は、回動用モータ３５０を含む回動機構や突出用モータ３６０を含む突出機構が設けられ、重量が重くなっており、且つ突出体３７０が突出する構造であり、突出体３７０の第１状態（収納状態）と第２状態（突出状態）とで重心のバランスが変化するため、回動状態によって回動し易くなっているが、突出体３７０の先端側は、回動中心Ｐを通る垂直線に対し装飾体３８０と反対側（装飾体３８０から離れる方向）、つまり前側に傾倒するため、突出した際の振動等により突出体３７０の先端側（上端側）が第１可動体３０２の回動方向に揺れ動くことがあっても装飾体３８０に接触しにくく、突出体３７０や装飾体３８０の破損等を抑制することができる。
【０１６６】
また、第２回動状態において回動用モータ３５０をオフ状態とすると、突出した際の振動等により突出体３７０の先端側（上端側）が揺れ動くことにより箱状部３０２Ａが回動してしまい、これにより突出体３７０の先端が装飾体３８０やガラス窓５０ａに接触してしまう虞があるが、第２回動状態において回動用モータ３５０を停止状態で励磁しておくことで、箱状部３０２Ａの回動により突出体３７０の先端が揺れ動いて装飾体３８０やガラス窓５０ａに接触することを回避できる。
【０１６７】
さらに、第１可動体３０２が第１回動状態にあるときには遊技者から視認困難または視認不能な第４回動面３２５から突出体３７０が突出するので、遊技者に意外性を与えることができる。
【０１６８】
尚、本実施例では、突出体３７０が第１可動体３０２から略垂直上方向に突出する形態を例示したが、本発明はこれに限定されるものではなく、いずれの方向に突出してもよい。例えば、下方向や前後方向、左右方向、または斜め方向等に突出するようになっていてもよい。
【０１６９】
また、本実施例では、第１可動体３０２の近傍に設けられる所定部が装飾体３８０である形態を例示したが、本発明はこれに限定されるものではなく、第１可動体３０２が回動するときに突出体が接触可能な近傍位置に設けられるものであれば、演出表示装置５やガラス窓５０ａ、ベース部材に取付けられるその他の構造物等も含まれる。例えば、第１可動体３０２の近傍に設けられる所定部がガラス窓５０ａである場合には、ガラス窓５０ａとは反対方向である後方側に第１可動体３０２を傾斜させればよい。さらに所定部は、第１可動体３０２とは異なる他の可動体のように動作可能な部材等であってもよい。
【０１７０】
また、本実施例では、第１状態において突出体３７０全体が第１可動体３０２内に収納される形態を例示したが、本発明はこれに限定されるものではなく、突出体３７０は、第１状態において少なくともその一部が収納されていればよい。つまり、突出体３７０は、第２状態において第１状態よりも突出していればよい。
【０１７１】
また、回動用モータ３５０は、可動体演出の開始条件が成立してから可動体演出終了までの可動体演出の期間において、第１可動体３０２を正転方向または逆転方向に回動させる駆動以外は第１可動体３０２の向きを維持するように常に励磁されるため、第１可動体３０２の回動が停止した状態において遊技者に対して第１可動体３０２の第１回動面３２２または第２回動面３２３を確実に向けることができる（図２９参照）。
【０１７２】
また、第１可動体３０２は、第４回動面３２５に内部を開閉可能な蓋部材３１９を有し、突出体３７０は、蓋部材３１９が閉鎖位置から開放位置へ回動することで第２状態へ変化可能（突出体３７０が突出動作可能）となっており、第４回動面３２５は第２回動状態において装飾体３８０と反対側に傾倒するように保持されることで、突出体３７０が第２状態へ変化する際に蓋部材３１９が装飾体３８０に接触することを回避できる。
【０１７３】
具体的には、蓋部材３１９の回動可能範囲は、９０度未満となっており、さらに第１可動体３０２は前方側に約２度傾倒するため、蓋部材３１９が開放位置に回動しても装飾体３８０に接触することを回避できる。
【０１７４】
尚、本実施例では、蓋部材３１９が回動することにより突出体３７０が突出可能となる形態を例示したが、本発明はこれに限定されるものではなく、蓋部材はスライドすることにより突出体３７０が突出可能な状態にしてもよい。
【０１７５】
第１可動体３０２は、突出体３７０を第１状態と第２状態とに変化させるためのパンタグラフ機構３７３と、パンタグラフ機構３７３を構成する複数のうち第１リンク部材３４６を突出方向に付勢する第１バネ部材３５７及び第２リンク部材３４７を突出方向に付勢する第２バネ部材３５８と、を有し、第１バネ部材３５７と第２バネ部材３５８は、第１リンク部材３４６及び第２リンク部材３４７の一端を軸部３８７ｃの両側から挟むように配置されている。このように、第１リンク部材３４６及び第２リンク部材３４７が第１バネ部材３５７及び第２バネ部材３５８によりそれぞれ突出方向に付勢されるので、突出体３７０を突出させる際における突出用モータ３６０の負荷を軽減できる。さらに、第１リンク部材３４６及び第２リンク部材３４７の一端が第１バネ部材３５７及び第２バネ部材３５８により前後方向、つまり、第１可動体３０２の回動方向の両側から支持されることで、第１リンク部材３４６及び第２リンク部材３４７の回動時に発生する捻じれ等が抑制され、突出体３７０を安定して突出させることができる。
【０１７６】
また、第１可動体３０２は、突出用モータ３６０と、突出用モータ３６０の駆動力を蓋部材３１９と突出体３７０とに伝達する第１ギヤ３９２〜第４ギヤ３９５、開閉機構３４８、回動アーム３８９及びパンタグラフ機構３７３を有し、第１ギヤ３９２〜第４ギヤ３９５、開閉機構３４８、回動アーム３８９及びパンタグラフ機構３７３は、蓋部材３１９が開放した後に突出体３７０が第１状態から第２状態へ変化するように突出用モータ３６０の駆動力を伝達するようになっている。
【０１７７】
具体的には、第２ギヤ３９３と第３ギヤ３９４とが該第２ギヤ３９３の欠落部３９３ａにより噛合しないときに、回動アーム３８９及び開閉機構３４８を動作させて蓋部材３１９を開放し、その後第２ギヤ３９３と第３ギヤ３９４とが噛合することでパンタグラフ機構３７３を動作させて突出体３７０を突出させる。これによれば、突出用モータ３６０で蓋部材３１９と突出体３７０とをタイミングをずらして駆動できるため、突出体３７０が第２状態へ変化するときに蓋部材３１９に接触することを防止できる。
【０１７８】
尚、本実施例では、蓋部材３１９を開閉する機構としての開閉機構３４８及び回動アーム３８９と、突出体３７０を動作させる機構としての第３ギヤ３９４、第４ギヤ３９５及びパンタグラフ機構３７３と、が第１ギヤ３９２及び第２ギヤ３９３により連動することで蓋部材３１９と突出体３７０とをタイミングをずらして駆動する形態を例示したが、本発明はこれに限定されるものではなく、蓋部材３１９と突出体３７０とをタイミングをずらして駆動できれば、別々の機構を連動させなくともよい。
【０１７９】
また、突出体３７０は、突出用モータ３６０と、突出用モータ３６０の駆動力を蓋部材３１９に伝達する開閉機構３４８と、を有し、開閉機構３４８の少なくとも一部は、第１可動体３０２が第２回動状態であるときには遊技者から視認困難または視認不能である。具体的には、開閉機構３４８は、第１可動体３０２を正面側から見てアーム３０９Ｌと突出壁部３２８の後方に配置されており、開閉機構３４８は、第２回動状態においてアーム３０９Ｌと突出壁部３２８により正面側から視認困難または視認不能となっている。そのため、開閉機構３４８の動作により蓋部材３１９が開放することを遊技者が予測できてしまうことを回避できる。
【０１８０】
また、第１可動体３０２は、装飾体３８０に重畳する第１位置と装飾体３８０に重畳しない第２位置との間で移動可能であり、回動するときの回動半径が第１寸法Ｌ１，Ｌ２である角頂部３６４及び角頂部３６５（第１部位）と角頂部３６４及び角頂部３６５よりも長い第２寸法Ｌ３である第２回動状態において傾斜した蓋部材３１９の端部３１９ｂ（第２部位）とを有し、第１位置において傾斜した蓋部材３１９の端部３１９ｂが装飾体３８０側に突出する第３回動状態と装飾体３８０に突出しない第４回動状態とに回動により変化可能であり、第１可動体３０２を第３回動状態で第２位置から第１位置へ移動させる際に、少なくとも傾斜した蓋部材３１９の端部３１９ｂが装飾体３８０に突出しないように第３回動状態から第４回動状態へ回動により変化させるため、第１可動体３０２を第２位置から第１位置へ移動させる際に傾斜した蓋部材３１９の端部３１９ｂが装飾体３８０に接触して第１可動体３０２や装飾体３８０が破損することを抑制できる。
【０１８１】
具体的には、第２回動状態において傾斜した蓋部材３１９の端部３１９ｂは、装飾体３８０の前面よりも後方側に配置されている。つまり、傾斜した蓋部材３１９が装飾体３８０に接触する第１可動体３０２の回動状態は第３回動状態となっており、第３回動状態で第２位置から第１位置に第１可動体３０２を移動させると、蓋部材３１９が装飾体３８０に接触して破損する虞があるが、第２位置から第１位置に第１可動体３０２を移動させる途中で第１可動体３０２を所定角度前方側（蓋部材３１９が装飾体３８０から離れる方向）に回動させ、傾斜した蓋部材３１９の端部３１９ｂが装飾体３８０に接触しない第４回動状態とすることで、傾斜した蓋部材３１９の端部３１９ｂや装飾体３８０が破損することを抑制できる。
【０１８２】
尚、本実施例では、第２回動状態において傾斜した蓋部材３１９の端部３１９ｂが第２部位である形態を例示したが、本発明はこれに限定されるものではなく、第１可動体３０２の回動中心Ｐからの寸法が他の部位（第１部位）よりも長い部位であればよく、例えば、本実施例の突出体３７０や第１可動体の外面から突出可能に設けられた装飾用の突起なども含まれる。さらに、本実施例では、第２部位は動作不能な固定部であってもよい。
【０１８３】
また、本実施例では、第１可動体３０２の第１位置が演出表示装置５の上方位置に設定され、第２位置が演出表示装置５と重畳する位置に設定されている形態を例示したが、本発明はこれに限定されるものではなく、第１位置にて装飾体３８０に重畳し、第２位置にて装飾体３８０に重畳しなければ、第１位置及び第２位置の位置関係は自由に設定してもよい。例えば、第１位置を演出表示装置５の下方位置に設定し、第２位置を演出表示装置５と重畳する位置に設定してもよいし、第１位置を演出表示装置５の左右のいずれか一方に設定し、第２位置を演出表示装置５と重畳する位置に設定してもよい。すなわち、第１可動体３０２の移動方向も自由に設定することができる。
【０１８４】
また、演出制御用ＣＰＵ１２０は、突出体３７０を第２状態（突出状態）から第１状態（収納状態）に変化させた後、第２位置にある第１可動体３０２を第２回動状態から第１回動状態に変化させるときに、収納位置スイッチ３６１が第２ギヤ３９３の被検出部を検出しない場合には、回動用モータ３５０を駆動させない。これによれば、動作不良等により、突出体３７０が第２状態から第１状態に変化しなかった場合、つまり、突出体３７０が突出したままの状態で第１可動体３０２を回動させることがないため、第１可動体３０２と装飾体３８０との接触を回避できる。
【０１８５】
また、第１可動体３０２が第１回動状態において回動することを規制する係止部材３１８ａ及び当接部３９１を備える。詳しくは、第１可動体３０２を係止部材３１８ａに係止させて第１位置に保持できるとともに、第１可動体３０２が第１位置にて第１回動状態に復帰した際には、蓋部材３１９の回動軸側に設けられる凸部３９８が装飾部材３９０に設けられる当接部３９１と当接するため、第１回動状態において振動等により回動してしまうことを抑制することができる。尚、第１回動状態において第１可動体３０２の回動を規制できれば、上記以外の規制手段であってもよい。
【０１８６】
また、第１可動体３０２に設けられる回動用モータ３５０及び突出用モータ３６０と、所定のベース部に設けられ回動用モータ３５０及び突出用モータ３６０の制御を行う駆動制御手段である演出制御用ＣＰＵ１２０と、回動用モータ３５０及び突出用モータ３６０と前記駆動制御手段とを接続する可撓性を有する複数のケーブル３９６と、を備え、複数のケーブル３９６は、回動用モータ３５０及び突出用モータ３６０との接続部から第１可動体３０２のアーム３０９Ｌ，３０９Ｒの軸受部を介して前記ベース部へ配線され、回動用モータ３５０及び突出用モータ３６０との接続部から所定長さ離れた保持位置において結束バンド３９７により束ねられており、第１可動体３０２には、結束バンド３９７を所定位置に保持する爪部３８７ｄが設けられているため、複数のケーブル３９６を配線する際に、回動用モータ３５０及び突出用モータ３６０との接続部から所定長さ離れた保持位置を結束バンド３９７にて束ねて該結束バンド３９７を爪部３８７ｄにより保持するだけで、ケーブル３９６において第１可動体３０２の回動に応じて捻じれなどが生じやすい部位に好適な長さを確保することができる。
【０１８７】
すなわち、複数のケーブル３９６を配線する際において、予めケーブル３９６における所定位置から電子基板３３６までの部位にゆとりを持たせることで、第１可動体３０２が第２回動状態から第１回動状態に変化しても、ケーブル３９６が捻じれによる負荷がかかり断線することを抑制できる。また、回動用モータ３５０や突出用モータ３６０の接続部から結束バンド３９７までの距離を一定にできるため、第１可動体３０２の回動や突出体３７０が動作しても、ギヤ等の各種駆動機構にケーブル３９６が巻き込まれて断線する虞がない。さらに、ケーブル３９６に対する結束バンド３９７の位置を変えるだけで、結束バンド３９７から回動用モータ３５０及び突出用モータ３６０との接続部までの長さと、結束バンド３９７から電子基板３３６までの長さと、を容易に調整できる。
【０１８８】
尚、本実施例では、複数のケーブル３９６を保持する保持手段である爪部３８７ｄが、ギヤベース部材３８７に設けられる形態を例示したが、本発明はこれに限定されるものではなく、ギヤ等の各種駆動機構にケーブル３９６が巻き込まれない位置であれば、いずれの位置に設けられてもよく、例えば、箱状部３０２Ａの内面等に沿って保持手段が設けられていてもよい。
【０１８９】
さらに尚、保持手段は、爪部３８７ｄのみに限られず、ベースとなるギヤベース部材３８７や箱状部３０２Ａの内面等に対してケーブル３９６を固定的に配置できるものであれば自由に構成してもよい。また、電子部品は、回動用モータ３５０及び突出用モータ３６０のみに限られず、電力により動作するものであれば、ＬＥＤ基板等の他の電子部品も含まれる。
【０１９０】
また、第１可動体３０２の重量部（駆動機構３７２及びパンタグラフ機構３７３）は、第１回動状態において回動中心Ｐよりも下方に位置し、第２回動状態において回動中心Ｐよりも装飾体３８０側に位置することにより、第１可動体３０２が第１回動状態にあるときは重量部が回動中心Ｐより下方に位置するので安定性が向上し、第２回動状態にあるときは回動中心Ｐよりも装飾体３８０側に位置するため、突出体３７０が第２状態となったときに装飾体３８０側へ傾きやすくなるが、突出体３７０が装飾体３８０と反対側へ傾倒することによりバランスすることで、突出体３７０の揺れ動きを抑制できる。
【０１９１】
また、第１可動体３０２を第１位置へ移動させる際に、第３回動状態から第４回動状態へ回動により変化させた後、第１位置において第３回動状態に復帰させるため、少なくとも第１可動体３０２を移動させているときに第２部位が装飾体３８０に接触して第１可動体３０２や装飾体３８０が破損することを抑制できる。
【０１９２】
また、第２部位は蓋部材３１９の端部３１９ｂであり、該蓋部材３１９の動作に応じて回動半径が変化するため、第１可動体３０２の回動による反動で蓋部材３１９が動作して回動半径が変化することがあっても、蓋部材３１９の端部３１９ｂが装飾体３８０に接触することを好適に回避することができる。
【０１９３】
すなわち、第１可動体３０２の回動による反動で蓋部材３１９が開放方向に動作した際に、蓋部材３１９の端部３１９ｂが開放動作前の寸法よりも長い第２寸法Ｌ３を有する第２部位となる（第３回動状態となる）が、第１可動体３０２を第１位置へ移動させる際には、第１可動体３０２を前方側に回動させるため、その反動で蓋部材３１９が閉塞するように動作（回動半径が第２寸法Ｌ３よりも小さくなる方向に動作）し、蓋部材３１９の端部３１９ｂが装飾体３８０に接触することを好適に回避することができる。
【０１９４】
また、装飾体３８０は、第１可動体３０２が第１位置にあるときに第１可動体３０２の背面側の周囲を装飾するため、第１可動体３０２が第１位置にあるときの演出効果が向上する。さらに、装飾体３８０は、突出体３７０が突出した状態（図４（Ｂ）及び図１８）においても、突出体３７０の背面側を装飾するようになっているため、演出効果が向上する。
【０１９５】
尚、例えば、第１可動体３０２が第１位置にあるとき、または突出体３７０が突出した状態のときに該第１可動体３０２と連続するような模様や図柄等を装飾体３８０に形成することで、演出効果をさらに向上させてもよい。
【０１９６】
また、蓋部材３１９は、第１可動体３０２が第３回動状態で第１位置に位置するとき、装飾体３８０に接触することで動作が規制されるため、第１位置においては、装飾体３８０を利用して蓋部材３１９の動作を規制することができる。詳しくは、第１可動体３０２を第１位置へ移動させる際に、第１可動体３０２を第３回動状態から第４回動状態へ回動により変化させた後、第１位置において第３回動状態に復帰させた際に、その回動の反動で蓋部材３１９が開放方向に動作しても、蓋部材３１９の背面側に装飾体３８０が配置されているため、装飾体３８０に接触してそれ以上の蓋部材３１９の開放方向への動作を規制することができる。
【０１９７】
また、第１可動体３０２を駆動する昇降用モータ３０８Ｌ，３０８Ｒと、第１位置にて第１可動体３０２を検出する上方位置検出スイッチ３１５Ｌ，３１５Ｒと、パチンコ遊技機１への電力供給が開始されたことに基づき、上方位置検出スイッチ３１５Ｌ，３１５Ｒの検出結果に基づいて上方位置検出スイッチ３１５Ｌ，３１５Ｒにより第１可動体３０２を第１位置まで動作させる初期動作処理を実行する演出制御用ＣＰＵ１２０と、を備え、演出制御用ＣＰＵ１２０は、前記初期動作処理において、第１可動体３０２を移動させることが可能な速度のうち最低速度で第１位置へ移動させる（図示略）。
【０１９８】
具体的には、パチンコ遊技機１の電源投入時等には、第１可動体３０２を初期位置である第１位置に移動させる初期動作処理（原点復帰動作）を一般的に行うが、初期動作処理において第１可動体３０２を第１位置に復帰させる際に、演出制御用ＣＰＵ１２０は、第１可動体３０２の移動速度のうち最も遅い速度に切り換えて第１位置へ移動させるため、演出制御用ＣＰＵ１２０は、第１可動体３０２がいずれの位置にある場合でも安全に復帰させることができる。
【０１９９】
また、本実施例での可動体演出は、第１可動体３０２が第１位置（上方位置検出スイッチ３１５Ｌ，３１５Ｒ）から第２位置（下方位置検出スイッチ３１３Ｌ，３１３Ｒ）まで下降動作する形態のみを例示したが、本発明はこれに限定されるものではなく、例えば、第１可動体３０２が第１位置（上方位置検出スイッチ３１５Ｌ，３１５Ｒ）から第３位置（中間位置検出スイッチ３１４Ｌ，３１４Ｒ）まで下降動作した後、回動せずに第１位置まで戻るといった演出を予告演出として実行するようにしてもよい。
【０２００】
以上、本発明の実施例を図面により説明してきたが、具体的な構成はこれら実施例に限られるものではなく、本発明の要旨を逸脱しない範囲における変更や追加があっても本発明に含まれる。
【０２０１】
例えば、前記実施例では、第２位置において、第１可動体３０２を第１回動状態から第２可動状態に変化させる際に、第１可動体３０２が略９２度回動する形態を例示したが、本発明はこれに限定されるものではなく、例えば、先ず、第１可動体３０２を略９０度回転させた後、突出体３７０を第１状態から第２状態に変化させる際に略２度程度更に第１可動体３０２を回動させてもよい。尚、第１可動体３０２が回動する回動角度は、本実施例に記載の角度に限定されるものではなく、第１可動体３０２の重量部の位置や重さ、突出体３７０の重さや突出角度等に応じて自由に変更してもよい。
【０２０２】
また、前記実施例では、突出体３７０を第１状態と第２状態とに変化させる機構としてパンタグラフ機構を用いた形態を例示したが、本発明はこれに限定されるものではなく、例えば、ラックピニオン機構などの種々の機構に変更してもよい。
【０２０３】
尚、前記実施例では、可動体演出として、第１可動体３０２を用いた演出の形態を例示したが、本発明はこれに限定されるものではなく、例えば、可動体演出の前後、または可動体演出中に第２可動体４０２Ｌ，４０２Ｒや第３可動体５０２による演出を行う複合演出としてもよい。これにより、演出効果が向上するため、遊技者に期待を持たせることができる。
【０２０４】
また、前記実施例では、第１可動体３０２は、左右方向を向く回動中心Ｐを中心として回動可能に設けられていたが、本発明はこれに限定されるものではなく、前後方向を向く回動中心を中心として回動可能に設けられていてもよい。また、第１可動体３０２は、上下方向に移動可能に設けられていたが、左右方向や前後方向に移動可能に設けられていてもよい。尚、第１可動体３０２は回動可能に設けられていれば、必ずしも移動可能に設けられていなくてもよい。
【０２０５】
さらに、所定部としての装飾体３８０は、遊技者から見て第１可動体３０２より奥側に設けられていたが、本発明はこれに限定されるものではなく、第１可動体３０２の回動方向に設けられていれば、第１可動体３０２の前側等であってもよい。
【０２０６】
例えば、前記実施例では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【０２０７】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な変動表示装置に変動表示結果が導出されることにより１ゲームが終了し、該変動表示装置に導出された変動表示結果に応じて入賞が発生可能とされたスロットマシンにも適用可能である。
【０２０８】
また、前記実施例では、遊技媒体の一例として、球状の遊技球（パチンコ球）が適用されていたが、球状の遊技媒体に限定されるものではなく、例えば、メダル等の非球状の遊技媒体であってもよい。
【符号の説明】
【０２０９】
１          パチンコ遊技機
３００      演出ユニット
３０２      第１可動体
３０２Ａ    箱状部
３０８Ｌ    昇降用モータ
３０８Ｒ    昇降用モータ
３４８      開閉機構
３５０      回動用モータ
３６０      突出用モータ
３６４      角頂部
３６５      角頂部
３７０      突出体
３７１      演出機構
３７２      駆動機構
３７３      パンタグラフ機構
３８０      装飾体
３８０ａ    傾斜面
３９１      当接部
３９６      ケーブル
３９７      結束バンド
４０２Ｌ    第２可動体
４０２Ｒ    第２可動体
５０２      第３可動体
【図１】
2018000417.tif 000003
【図２】
2018000417.tif 000004
【図３】
2018000417.tif 000005
【図４】
2018000417.tif 000006
【図５】
2018000417.tif 000007
【図６】
2018000417.tif 000008
【図７】
2018000417.tif 000009
【図８】
2018000417.tif 000010
【図９】
2018000417.tif 000011
【図１０】
2018000417.tif 000012
【図１１】
2018000417.tif 000013
【図１２】
2018000417.tif 000014
【図１３】
2018000417.tif 000015
【図１４】
2018000417.tif 000016
【図１５】
2018000417.tif 000017
【図１６】
2018000417.tif 000018
【図１７】
2018000417.tif 000019
【図１８】
2018000417.tif 000020
【図１９】
2018000417.tif 000021
【図２０】
2018000417.tif 000022
【図２１】
2018000417.tif 000023
【図２２】
2018000417.tif 000024
【図２３】
2018000417.tif 000025
【図２４】
2018000417.tif 000026
【図２５】
2018000417.tif 000027
【図２６】
2018000417.tif 000028
【図２７】
2018000417.tif 000029
【図２８】
2018000417.tif 000030
【図２９】
2018000417.tif 000031
【図３０】
2018000417.tif 000032
【図３１】
2018000417.tif 000033
【図３２】
2018000417.tif 000034